(57)【要約】  自動注射器および薬剤の投与方法が開示される。自動注射器は、ハウジングと、カートリッジレシーバと、第１のストッパを移動させるように構成されたプランジャロッドを移動させるように組み合わせられた駆動モジュールと、カートリッジ内の薬剤の温度を表す温度信号をもたらすように構成された温度センサと、温度信号を受信し、温度信号に基づいてプランジャロッドを第１のプランジャロッド位置から混合プランジャロッド位置へと移動させるように駆動モジュールを制御するように構成された処理ユニットとを備える。
2019506988.tif 000002
【特許請求の範囲】
【請求項１】
薬剤を投与するための自動注射器であって、
ハウジングと、
第１のストッパと前記薬剤を収容するカートリッジ室とを有するカートリッジを受け入れるように構成されたカートリッジレシーバであって、前記カートリッジ室は、前記薬剤の第１の薬剤成分を収容する第１のカートリッジ小室と、前記薬剤の第２の薬剤成分を収容する第２のカートリッジ小室とを有している、カートリッジレシーバと、
前記第１のストッパを移動させるように構成されたプランジャロッドを、プランジャロッド後退位置とプランジャロッド伸張位置との間で移動させるように結合された駆動モジュールと、
前記カートリッジレシーバに受け入れられたときに前記カートリッジ内の前記薬剤の温度を表す温度信号を提供するように構成された温度センサと、
前記温度センサおよび前記駆動モジュールに接続された処理ユニットと
を有する自動注射器において、
前記処理ユニットは、
前記温度信号を受信し、
前記プランジャロッドを、前記温度信号に基づいて、第１のプランジャロッド位置から混合プランジャロッド位置へと混合プランジャロッド速度で移動させるように前記駆動モジュールを制御し、前記混合プランジャロッド位置は、前記第１の薬剤成分が前記第２の薬剤成分と混合される位置に前記第１のストッパを位置付けるように選択されており、
前記混合プランジャロッド位置への前記プランジャロッドの移動の完了から所定の再構成時間が経過した後、前記プランジャロッドを前記混合プランジャロッド位置から第２のプランジャロッド位置へと移動させるように前記駆動モジュールを制御する
ように構成されている、自動注射器。
【請求項２】
前記再構成時間は、前記温度信号に基づく、請求項１に記載の自動注射器。
【請求項３】
前記第１のプランジャロッド位置および／または前記混合プランジャロッド位置は、前記温度信号に基づく、請求項１または２に記載の自動注射器。
【請求項４】
前記混合プランジャロッド速度は、前記温度信号に基づく、請求項１から３までのいずれか一項に記載の自動注射器。
【請求項５】
前記カートリッジレシーバは、前記カートリッジと、カートリッジコード特徴部とを有するカートリッジアセンブリを受け入れるように構成され、前記自動注射器は、前記カートリッジコード特徴部を読み取るように構成されたコードセンサを有し、前記処理ユニットは、前記コードセンサに接続され、且つ前記カートリッジコード特徴部を表すコード信号を前記コードセンサから受信するようにさらに構成され、前記第１のプランジャロッド位置から前記混合プランジャロッド位置への移動は、前記コード信号に基づく、請求項１から４までのいずれか一項に記載の自動注射器。
【請求項６】
前記再構成時間は、前記コード信号に基づく、請求項５に記載の自動注射器。
【請求項７】
前記第１のプランジャロッド位置および／または前記混合プランジャロッド位置は、前記コード信号に基づく、請求項５または６に記載の自動注射器。
【請求項８】
前記混合プランジャロッド速度は、前記コード信号に基づく、請求項５から７までのいずれか一項に記載の自動注射器。
【請求項９】
前記カートリッジレシーバに受け入れられた前記カートリッジの向きを表す向き信号をもたらすように構成された向きセンサを有し、前記処理ユニットは、前記向きセンサに接続され、且つ前記向き信号を受信するようにさらに構成され、前記第１のプランジャロッド位置から前記混合プランジャロッド位置への移動は、前記向き信号に基づく、請求項１から８までのいずれか一項に記載の自動注射器。
【請求項１０】
前記再構成時間は、前記向き信号に基づく、請求項９に記載の自動注射器。
【請求項１１】
前記混合プランジャロッド速度は、前記向き信号に基づく、請求項９または１０に記載の自動注射器。
【請求項１２】
前記処理ユニットは、前記自動注射器の累積の運動に基づいて第１の運動パラメータを決定するようにさらに構成される、請求項１から１１までのいずれか一項に記載の自動注射器。
【請求項１３】
前記再構成時間は、前記第１の運動パラメータに基づく、請求項１２に記載の自動注射器。
【請求項１４】
前記混合プランジャロッド速度は、前記第１の運動パラメータに基づく、請求項１２または１３に記載の自動注射器。
【請求項１５】
前記第１の運動パラメータは、前記自動注射器の反転の回数を表す、請求項１２から１４までのいずれか一項に記載の自動注射器。
【請求項１６】
前記第１の運動パラメータは、前記自動注射器の運動の周波数を表す、請求項１２から１５までのいずれか一項に記載の自動注射器。
【請求項１７】
前記温度センサは、赤外線センサを有する、請求項１から１６までのいずれか一項に記載の自動注射器。
【請求項１８】
前記カートリッジレシーバに受け入れられた前記カートリッジの温度を変更するように構成された温度制御ユニットをさらに有する、請求項１から１７までのいずれか一項に記載の自動注射器。
【請求項１９】
前記温度制御ユニットは、前記カートリッジの温度を上げるように構成される、請求項１８に記載の自動注射器。
【請求項２０】
前記温度制御ユニットは、抵抗加熱素子を有する、請求項１９に記載の自動注射器。
【請求項２１】
前記温度制御ユニットは、誘電加熱素子を有する、請求項１９または２０に記載の自動注射器。
【請求項２２】
前記温度制御ユニットは、前記カートリッジの温度を下げるように構成される、請求項１８から２１までのいずれか一項に記載の自動注射器。
【請求項２３】
前記温度制御ユニットは、ペルチェ素子などの熱電素子を有する、請求項１８から２２までのいずれか一項に記載の自動注射器。
【請求項２４】
前記温度制御ユニットは、前記カートリッジレシーバに受け入れられた前記カートリッジに接触するように構成された接触要素を有する、請求項１８から２３までのいずれか一項に記載の自動注射器。
【請求項２５】
前記温度制御ユニットは、前記カートリッジレシーバに受け入れられた前記カートリッジの全周を囲むように構成されたコイル要素を有する、請求項１８から２４までのいずれか一項に記載の自動注射器。
【請求項２６】
前記第１のプランジャロッド位置は、混合前プランジャロッド位置であり、該混合前プランジャロッド位置は、前記第１のカートリッジ小室と前記第２のカートリッジ小室との間の連通が未だ確立されない位置に前記第１のストッパを位置付けるように選択されたものである、請求項１から２５までのいずれか一項に記載の自動注射器。
【請求項２７】
前記第２のプランジャロッド位置は、プライムプランジャロッド位置であり、該プライムプランジャロッド位置は、前記カートリッジ室内の空気が注射に適した量まで減らされる位置に前記第１のストッパを位置付けるように選択されたものである、請求項１から２６までのいずれか一項に記載の自動注射器。
【請求項２８】
前記処理ユニットは、前記駆動モジュールを制御して前記プランジャロッドを注射プランジャロッド位置へと移動させるように構成されており、前記注射プランジャロッド位置は、前記カートリッジ室内の薬剤が最小限にされる位置に前記第１のストッパを位置させるように選択されたものである、請求項１から２７までのいずれか一項に記載の自動注射器。
【請求項２９】
前記処理ユニットは、
トリガイベントを受信し、
前記トリガイベントの受信に続いて前記プランジャロッドを前記注射プランジャロッド位置へと移動させるように前記駆動モジュールを制御する
ようにさらに構成されている、請求項２８に記載の自動注射器。
【請求項３０】
自動注射器を動作させるための方法であって、前記自動注射器はカートリッジレシーバを有し、前記カートリッジレシーバは、第１のストッパと薬剤を収容するカートリッジ室とを有するカートリッジを受け入れるように構成され、前記カートリッジ室は、薬剤の第１の薬剤成分を収容する第１のカートリッジ小室と、薬剤の第２の薬剤成分を収容する第２のカートリッジ小室とを有し、また前記自動注射器は、前記第１のストッパを移動させるように構成されたプランジャロッドと、温度センサとを有している、自動注射器を動作させるための方法において、
前記カートリッジが前記カートリッジレシーバに受け入れられたときに前記薬剤の温度を表す温度センサからの温度信号を受信するステップと、
前記プランジャロッドを、前記温度信号に基づいて、第１のプランジャロッド位置から、混合プランジャロッド位置へと混合プランジャロッド速度で移動させるステップであって、前記混合プランジャロッド位置は、前記第１の薬剤成分が前記第２の薬剤成分と混合される位置に前記第１のストッパを位置付けるように選択されたものである、ステップと、
前記混合プランジャロッド位置への前記プランジャロッドの移動の完了から所定の再構成時間が経過した後、前記プランジャロッドを前記混合プランジャロッド位置から第２のプランジャロッド位置へと移動させるステップと
を含む方法。
【請求項３１】
前記第２のプランジャロッド位置は、プライムプランジャロッド位置であり、該プライムプランジャロッド位置は、前記カートリッジ室内の空気が注射に適した量まで減らされる位置に前記第１のストッパを位置付けるように選択されたものである、請求項３０に記載の方法。
【発明の詳細な説明】
【技術分野】
【０００１】
本開示は、電子式自動注射器などの自動注射器、自動注射器用のカートリッジ、自動注射器とカートリッジとを備えるシステム、および自動注射器を動作させるための方法に関する。
【背景技術】
【０００２】
皮下注射器が、身体へと流体をもたらすために広く使用されている。手動操作に適用できる皮下注射器を有することが公知である。しかしながら、電子式自動注射器などの自動注射器が開発されており、身体への流体または薬剤の投与を補助するために広く使用されている。
【０００３】
ユーザによる特定の作業の正しい実行に頼らなくてもよいように、自動注射器が注射のプロセスを可能な限り自動的に実行することが、関心をますます集めている。とくには、注射に先立って薬剤を混合する必要がある場合など、薬剤の投与がいくつかのステップを必要とする場合、薬剤などの流体の調製および投与のプロセスを自動化することが有益であり得る。
【０００４】
さらに、さまざまな状況において正確な制御を可能にするために、そのような装置にセンサを組み込むことが好都合であり得る。
【発明の概要】
【０００５】
薬剤の調製および投与の自動化が改善された電子式自動注射器などの自動注射器が、必要とされている。本開示は、自動注射器、カートリッジ、システム、および自動注射器による薬剤の調製および投与を改善する方法を提供する。
【０００６】
したがって、カートリッジからの薬剤などの薬剤を調製および／または投与するための自動注射器が開示される。
【０００７】
自動注射器は、ハウジングと、カートリッジレシーバと、駆動モジュールと、温度センサと、処理ユニットとを備える。
【０００８】
カートリッジレシーバは、第１のストッパと、薬剤を収容するカートリッジ室とを備えるカートリッジなど、カートリッジを受け入れるように構成される。カートリッジ室は、薬剤の第１の薬剤成分を収容する第１のカートリッジ小室と、薬剤の第２の薬剤成分を収容する第２のカートリッジ小室とを有する。
【０００９】
駆動モジュールは、プランジャロッド後退位置とプランジャロッド伸張位置との間でプランジャロッドを移動させるように組み合わせられる。プランジャロッドは、第１のストッパを移動させるように構成される。
【００１０】
温度センサは、例えば、カートリッジがカートリッジレシーバに受け入れられたときに、カートリッジ内の薬剤の温度を表す温度信号をもたらすように構成される。
【００１１】
処理ユニットは、温度センサおよび駆動モジュールに接続される。処理ユニットは、温度信号を受信し、プランジャロッドを第１のプランジャロッド位置から混合プランジャロッド位置へと移動させるように駆動モジュールを制御し、プランジャロッドの混合プランジャロッド位置への移動が完了してから再構成時間が経過した後にプランジャロッドを混合プランジャロッド位置から第２のプランジャロッド位置へと移動させるように駆動モジュールを制御するように構成される。
【００１２】
混合プランジャロッド位置は、第１の薬剤成分が第２の薬剤成分と混合される位置に第１のストッパを位置させるように選択される。
【００１３】
処理ユニットは、駆動モジュールを制御して、プランジャロッドを第１のプランジャロッド位置から混合プランジャロッド位置へと混合プランジャロッド速度で移動させるようにさらに構成される。混合プランジャロッド速度は、一定の速度であっても、変化する速度であってもよい。
【００１４】
第１のプランジャロッド位置から混合プランジャロッド位置への移動は、温度信号に基づくことができる。例えば、処理ユニットを、駆動モジュールを制御して温度信号に基づいてプランジャロッドを第１のプランジャロッド位置から混合プランジャロッド位置へと移動させるように構成することができる。
【００１５】
さらに、上記開示の自動注射器などの自動注射器のためのカートリッジが開示される。カートリッジは、第１のストッパと、薬剤を収容するカートリッジ室とを備える。カートリッジ室は、薬剤の第１の薬剤成分を収容する第１のカートリッジ小室と、薬剤の第２の薬剤成分を収容する第２のカートリッジ小室とを有する。カートリッジは、第１のカートリッジ端部および第２のカートリッジ端部を有し、第１のカートリッジ端部にカートリッジ出口を有することができる。カートリッジは、例えばカートリッジの第２の端部を自動注射器のカートリッジレシーバ開口部を通って挿入することによって、上記開示の自動注射器のカートリッジレシーバなどの自動注射器のカートリッジレシーバによって受け入れられるように構成される。
【００１６】
さらに、上記開示の自動注射器などの自動注射器と、上記開示のカートリッジなどのカートリッジとを備えるシステムも開示される。
【００１７】
さらに、自動注射器を動作させるための方法も開示され、自動注射器は、上記開示の自動注射器など、例えばカートリッジを受け入れるように構成されたカートリッジレシーバを備える自動注射器であり、カートリッジは、上記開示のカートリッジなど、例えば第１のストッパと、薬剤を収容するカートリッジ室とを備えており、カートリッジ室は、薬剤の第１の薬剤成分を収容する第１のカートリッジ小室と、薬剤の第２の薬剤成分を収容する第２のカートリッジ小室とを有しているカートリッジである。自動注射器は、第１のストッパを移動させるように構成されたプランジャロッドと、温度センサとをさらに備えることができる。
【００１８】
この方法は、薬剤の温度を表す温度センサからの温度信号を受信するステップと、プランジャロッドを、温度信号に基づいて、第１のプランジャロッド位置から、第１の薬剤成分が第２の薬剤成分と混合される位置に第１のストッパを位置させるように選択される混合プランジャロッド位置へと、混合プランジャロッド速度で移動させるステップと、混合プランジャロッド位置へのプランジャロッドの移動の完了から再構成時間が経過した後にプランジャロッドを混合プランジャロッド位置から第２のプランジャロッド位置へと移動させるステップとを含む。
【００１９】
第１のプランジャロッド位置は、混合前プランジャロッド位置であってよい。混合前プランジャロッド位置を、第１のカートリッジ小室と第２のカートリッジ小室との間の連通が未だ確立されない位置に第１のストッパを位置させるように選択することができる。あるいは、第１のプランジャロッド位置は、例えば初期プランジャロッド位置など、プランジャロッド後退位置であってよい。
【００２０】
第２のプランジャロッド位置は、プライムプランジャロッド位置であってよい。プライムプランジャロッド位置を、カートリッジ室内の空気が注射に適した量へと減らされる位置に第１のストッパを位置させるように選択することができる。あるいは、第２のプランジャロッド位置は、注射プランジャロッド位置であってよい。第２のプランジャロッド位置は、プランジャロッド伸張位置であってよい。
【００２１】
本方法は、トリガイベントを受信するステップと、例えばプランジャロッドの第２のプランジャロッド位置への移動の完了後に、トリガイベントの受信を受けてプランジャロッドを注射プランジャロッド位置へと移動させるステップとをさらに含むことができる。
【００２２】
トリガイベントは、例えば、ボタンの押し下げの結果、小休止の経過の結果、および／またはユーザの所定の行動の結果であってよい。トリガイベントは、自動注射器が注射部位に押し付けられていることを示すことができる。
【００２３】
本開示の利点は、薬剤の調製および／または投与に関する工程が、ますます自動化されることである。このような自動化の向上が、薬剤の調製および／または投与における安全性の向上をもたらすことが、さらなる利点である。
【００２４】
本開示のさらなる利点は、使用がより容易であり、薬剤の誤った投与の危険性を少なくする自動注射器を提供できることである。
【００２５】
本開示のさらなる利点は、自動注射器を薬剤の温度などの温度に応じて動作させることで、例えば自動注射器の動作の精度を高めることができることである。
【００２６】
したがって、患者の安全性が向上することが、本開示のさらなる利点である。
【００２７】
任意の１つの態様に関連して説明された任意の実施形態または要素を、必要な変更を加えて、任意の他の態様または実施形態において使用できると考えられる。
【００２８】
カートリッジは、第１のカートリッジ端部にカートリッジ出口を有することができる。カートリッジは、例えばカートリッジ出口の反対側などの第２のカートリッジ端部に、カートリッジ後面を備えることができる。カートリッジ後面は、カートリッジ後端開口部を備えることができる。カートリッジ後端開口部は、自動注射器のプランジャロッドなどのプランジャロッドに、第１のストッパへのアクセスを提供することができる。
【００２９】
カートリッジ室は、薬剤を収容することができる。カートリッジ出口を、例えば第１のカートリッジ端部においてカートリッジ室と連通するように構成することができる。カートリッジを、カートリッジ出口を通って薬剤を吐出するように構成することができる。カートリッジ出口を、皮下注射針などの針と結合して、針を通る薬剤の吐出をもたらすように構成することができる。
【００３０】
カートリッジは、カートリッジ室の内部で移動可能な第１のストッパを備える。カートリッジは、カートリッジ室の内部で移動可能な第２のストッパを備えることができる。第２のストッパは、第１のストッパとカートリッジ出口との間にあってよい。カートリッジは、カートリッジ室の内部で移動可能な第３のストッパを備えることができる。第３のストッパは、第２のストッパとカートリッジ出口との間にあってよい。第１のストッパ、第２のストッパ、および／または第３のストッパは、第１のカートリッジ端部に向かうなど、例えば第１のストッパ方向に、カートリッジ出口に向かってカートリッジ室の内部を移動可能であってよい。例えば、薬剤を、例えば第１のストッパ方向であり、さらには／あるいはカートリッジ出口へと向かう第１のストッパ、第２のストッパ、および／または第３のストッパの移動時に、カートリッジ出口を通って吐出させることができる。
【００３１】
カートリッジは、２室のカートリッジであってよい。カートリッジ室は、第１のカートリッジ小室および第２のカートリッジ小室を有することができる。第１のカートリッジ小室は、第１のストッパと第２のストッパとの間にあってよい。第２のカートリッジ小室は、第２のストッパとカートリッジ出口および／または第３のストッパとの間にあってよい。
【００３２】
第１のカートリッジ小室は、薬剤の第１の薬剤成分を収容することができる。第２のカートリッジ小室は、薬剤の第２の薬剤成分を収容することができる。第１の薬剤成分および／または第２の薬剤成分の各々は、粉末組成物、流体、液体、ゲル、気体、および／またはこれらの任意の組み合わせであってよい。第１の薬剤成分および／または第２の薬剤成分は、粉末組成物などの溶質であってよい。第１の薬剤成分および／または第２の薬剤成分は、液体組成物などの流体組成物などの溶剤であってよい。第２の薬剤成分が、粉末組成物であってよく、第１の薬剤成分が、例えば水またはエタノールまたは生理食塩水または緩衝液または保存液など、流体組成物であってよい。第２の薬剤成分は、溶質であってよい。第１の薬剤成分は、溶剤であってよい。薬剤は、例えば薬剤の再構成（復元）後に皮下注射針を介して注射することができる任意の薬剤であってよいと考えられる。薬剤は、成長ホルモンであってよい。薬剤は、ヒト成長ホルモンであってよい。薬剤は、ヒト成長ホルモンの長時間作用型などのデポ（ｄｅｐｏｔ）剤であってよい。第２の薬剤成分は、ヒト成長ホルモンの粉末組成物であってよい。
【００３３】
カートリッジは、バイパス部を有することができ、バイパス部は、例えば第２のストッパがバイパス部に位置するときに第１のカートリッジ小室と第２のカートリッジ小室との間の連通をもたらす。カートリッジは、例えば隣接するカートリッジ小室を隔てているストッパがバイパス部に位置するときに隣接するカートリッジ小室の間に連通をもたらす複数のバイパス部を有することができる。
【００３４】
開示される自動注射器は、再使用可能な自動注射器であってよい。再使用可能な自動注射器は、カートリッジが複数の小室を備える場合にとくに有用であり得る。例えば、多室またはマルチチャンバカートリッジのための自動注射器は、より先進的である可能性があり、したがって自動注射器を２回以上使用できることが有益となり得る。例えば、自動注射器は、当初はカートリッジの異なる小室にてもたらされる薬剤成分の混合など、薬剤成分の混合のための自動プロセスを提供することができる。
【００３５】
カートリッジを、カートリッジアセンブリの一部として構成してもよい。カートリッジアセンブリは、カートリッジを備えることができる。さらに、カートリッジアセンブリは、針、針カバー、カートリッジホルダ、および／またはカートリッジコード特徴部を備える針アセンブリなどの針を備えることができる。
【００３６】
カートリッジアセンブリは、針を備える針アセンブリなどの針を備えることができる。針アセンブリは、針カバーおよび／または針ハブを備えることができる。カートリッジアセンブリは、カートリッジホルダを備えることができる。カートリッジホルダを、針アセンブリと係合するように構成することができる。カートリッジホルダは、針アセンブリのカートリッジへの取り付けをもたらすことができる。
【００３７】
カートリッジは、カートリッジコード特徴部を備えることができ、さらには／あるいはカートリッジアセンブリが、カートリッジおよびカートリッジコード特徴部を備えることができる。カートリッジコード特徴部は、色、バーコード、ＲＦＩＤタグ、ＮＦＣタグ、識別番号、およびＱＲコードのうちの１つ以上を備えることができる。例えば、カートリッジコード特徴部は、色および／または色の並びを備えることができる。カートリッジコード特徴部を、第１のストッパなどのストッパが初めに位置するカートリッジ室の一部分を囲み、あるいは部分的に囲んで配置することができる。このようなカートリッジコード特徴部の位置は、例えばストッパがカートリッジコード特徴部の背景を形成できるため、カートリッジコード特徴部の可読性を高めることができる。第１のストッパなどのストッパは、薄い灰色または白色などの明るい色であってよい。第１のストッパなどのストッパは、濃い青、濃い灰色、または黒色などの暗い色であってよい。ストッパは、カートリッジコード特徴部の暗い背景を形成することができる。第１のストッパなどのストッパは、光の反射を低減して、例えばカートリッジコード特徴部の可読性をさらに高めることができる。
【００３８】
カートリッジコード特徴部を、例えば第１のストッパなどのストッパとは独立に、カートリッジ上の特定の位置に配置してもよい。例えば、カートリッジコード特徴部を、第２のカートリッジ端部からコード距離に配置することができる。すべてのカートリッジは、例えば第２のカートリッジ端部からコード距離に配置されるなど、同じ位置に配置されたそれぞれのカートリッジコード特徴部を有することができる。カートリッジコード特徴部のこのような一様な配置は、すべての適切なカートリッジにおいてカートリッジコード特徴部が同じ位置で読み取られるがゆえに、自動注射器の複雑さを減らし、サイズを小さくすることができる。
【００３９】
カートリッジおよびカートリッジコード特徴部を、１つの要素として製造することができる。例えば、カートリッジコード特徴部は、カートリッジの特定の形態であってよい。あるいは、カートリッジコード特徴部を、例えば接着剤でカートリッジに固定されるなど、カートリッジに取り付けることができる。例えば、カートリッジコード特徴部は、カートリッジに印刷された色コードであってよい。
【００４０】
カートリッジコード特徴部は、カートリッジ内の薬剤、カートリッジ内の薬剤の濃度、カートリッジ内の薬剤の粘度、カートリッジ内の薬剤の体積および／または質量、カートリッジ室内のストッパの位置、などの１つ以上のカートリッジ仕様を示すことができる。カートリッジコード特徴部は、カートリッジ室内の空気が減らされ、例えば最小限にされ、さらには／あるいは注射に適した量まで減らされる第１のストッパの位置を示すことができる。カートリッジコード特徴部は、カートリッジに収容された薬剤の量を示すことができる。カートリッジコード特徴部は、特定の種類のカートリッジのＩＤ番号など、カートリッジの特定の種類を示すことができる。自動注射器の処理ユニットなどの自動注射器を、例えば参照表によってＩＤ番号に基づいて１つ以上のカートリッジ仕様を決定するように構成することができる。カートリッジコード特徴部は、混合時、空気の排出時、および／または注射時などの移動の種々の段階におけるストッパの移動など、ストッパの移動について、最適な速度などの適切な速度を示すことができる。カートリッジコード特徴部は、混合時、空気の排出時、および／または注射時などの移動の種々の段階における第１のストッパの移動の速度など、第１のストッパの移動について、最適な速度などの適切な速度を示すことができる。カートリッジコード特徴部は、第１の薬剤成分と第２の薬剤成分との最適な混合に必要な時間を示すことができる。カートリッジコード特徴部は、例えば注射後の針の後退までの好ましい待機時間など、例えば薬剤の組織への分配を保証するための時間などの薬剤のための適切な滞留時間を示すことができる。カートリッジコード特徴部は、第１の薬剤成分と第２の薬剤成分との最適な混合に必要な運動エネルギの量を示すことができる。カートリッジコード特徴部は、例えば第１の薬剤成分と第２の薬剤成分との混合および／または薬剤の注射のための薬剤の所望の温度を示すことができる。
【００４１】
自動注射器は、前込め式の自動注射器であってよい。自動注射器は、カートリッジを受け入れるように構成されたカートリッジレシーバを備える。カートリッジレシーバを、カートリッジを備えるカートリッジアセンブリを受け入れるように構成することができる。カートリッジアセンブリは、カートリッジホルダを備えることができる。カートリッジレシーバは、カートリッジレシーバ開口部を有することができる。カートリッジレシーバを、カートリッジの第２の端部などのカートリッジをカートリッジレシーバ開口部を通って挿入することによって、カートリッジを受け入れるように構成することができる。カートリッジを、カートリッジの受け入れ方向に挿入することができる。カートリッジ受け入れ方向は、例えばカートリッジがカートリッジレシーバに受け入れられるときの第１のストッパ方向とは反対であってよい。カートリッジは、カートリッジレシーバに挿入されるとき、第１の角度位置にあってよい。カートリッジを、例えばカートリッジをカートリッジレシーバに挿入した後に、第２の角度位置でカートリッジレシーバに保持することができる。
【００４２】
カートリッジレシーバを、カートリッジとカートリッジホルダとを備えるカートリッジアセンブリを受け入れるように構成することができる。カートリッジアセンブリを、カートリッジレシーバの部材と係合するカートリッジホルダの１つ以上のカートリッジ保持部材によってカートリッジレシーバに保持することができる。
【００４３】
カートリッジおよび／またはカートリッジアセンブリは、カートリッジレシーバにロック可能であってよく、例えばカートリッジおよび／またはカートリッジアセンブリをカートリッジレシーバにロックして、カートリッジおよび／またはカートリッジアセンブリのカートリッジレシーバからの取り外しを防止することができる。カートリッジおよび／またはカートリッジアセンブリを、自動注射器のプランジャロッドの動きによってカートリッジレシーバにロックすることができる。
【００４４】
自動注射器は、カートリッジセンサを備えることができる。カートリッジレシーバが、カートリッジセンサを備えることができる。カートリッジセンサを、カートリッジレシーバへのカートリッジおよび／またはカートリッジアセンブリの受け入れを検出するように構成することができる。カートリッジセンサは、カートリッジおよび／またはカートリッジアセンブリがカートリッジレシーバに受け入れられているか否かを示すカートリッジセンサ信号をもたらすことができる。カートリッジセンサは、カートリッジレシーバに収容されているカートリッジおよび／またはカートリッジアセンブリを示すカートリッジ検出信号をもたらすことができる。カートリッジセンサ信号は、カートリッジ検出信号を含むことができる。
【００４５】
自動注射器は、電子式の自動注射器であってよい。自動注射器は、バッテリを備えることができる。ハウジングは、バッテリを収容することができる。バッテリは、充電式のバッテリであってよい。例えば、バッテリは、ＬｉイオンバッテリまたはＮｉＣｄバッテリまたはＮｉＭＨバッテリであってよい。バッテリを、充電器の接続によって充電されるように構成することができる。
【００４６】
自動注射器は、駆動モジュールを備える。駆動モジュールを、プランジャロッドを例えばプランジャロッド後退位置とプランジャロッド伸張位置との間で移動させ、例えば作動させ、例えば前進させるように組み合わせることができる。プランジャロッドの移動は、カートリッジレシーバへのカートリッジおよび／またはカートリッジアセンブリのロックをもたらすことができる。例えば、カートリッジおよび／またはカートリッジアセンブリを、プランジャロッドをプランジャロッド後退位置から前進させることによって、カートリッジレシーバにロックすることができる。
【００４７】
駆動モジュールは、１つ以上の電気素子を備えることができる。駆動モジュールを、バッテリから電力を受け取るように構成することができる。駆動モジュールを、電力を受け取るためにバッテリに電気的に接続することができる。駆動モジュールを、ハウジングに収容することができる。駆動モジュールは、ＤＣモータなどの電気機械モータなどのモータを備えることができ、例えばブラシ付きまたはブラシなしのＤＣモータを備えることができる。駆動モジュールは、ソレノイドモータを備えることができる。駆動モジュールは、形状記憶金属エンジンを備えることができる。駆動モジュールは、プランジャロッドを作動させるように構成されたばね装置を備えることができる。駆動モジュールは、プランジャロッドを作動させるように構成された加圧ガスを備えることができる。
【００４８】
自動注射器は、駆動モジュールによって移動させることができるプランジャロッドなどのプランジャロッドを備えることができる。プランジャロッドを、カートリッジの第１のストッパなどのストッパを移動させるように構成することができる。例えば、プランジャロッドが、第１のプランジャロッド位置から混合プランジャロッド位置および／または混合プランジャロッド位置から第２のプランジャロッド位置など、プランジャロッド伸張位置に向かって移動するときに、プランジャロッドを、例えば２つの薬剤成分を混合し、さらには／あるいはカートリッジ出口を通ってカートリッジ室から薬剤を吐出させ、さらには／あるいはカートリッジ出口を通ってカートリッジ室から空気を吐出させるために、第１のストッパをカートリッジ出口に向かって移動させるように構成することができる。
【００４９】
プランジャロッドを、例えばプランジャロッド後退位置から、例えばプランジャロッド伸張位置に向かって、混合前プランジャロッド位置などの第１のプランジャロッド位置へと移動させることができる。第１のプランジャロッド位置は、混合前プランジャロッド位置であってよい。混合前プランジャロッド位置を、第１のカートリッジ小室と第２のカートリッジ小室との間の連通が未だ確立されない位置に第１のストッパを位置させるように選択することができる。
【００５０】
プランジャロッドを、例えば第１のプランジャロッド位置から、例えばプランジャロッド伸張位置に向かって、混合プランジャロッド位置へと移動させることができる。混合プランジャロッド位置は、第１の薬剤成分と第２の薬剤成分とが組み合わせられるなど、混合される位置であってよい。混合プランジャロッド位置は、例えば第１のカートリッジ小室と第２のカートリッジ小室との間の連通がもたらされるように、第２のストッパをバイパス部に位置させる位置であってよい。
【００５１】
プランジャロッドを、例えば混合プランジャロッド位置から、例えばプランジャロッド伸張位置に向かって、第２のプランジャロッド位置へと移動させることができる。第２のプランジャロッド位置は、プライムプランジャロッド位置であってよい。プライムプランジャロッド位置を、空気がカートリッジ室から吐出させた位置に第１のストッパを位置させるように選択することができる。例えば、プライムプランジャロッド位置を、カートリッジ室内の空気が減らされ、例えば最小限にされ、さらには／あるいは注射に適した量へと減らされる位置に、第１のストッパを位置させるように選択することができる。
【００５２】
プランジャロッドを、例えば第２のプランジャロッド位置から、例えばプランジャロッド伸張位置に向かって、注射プランジャロッド位置へと移動させることができる。注射プランジャロッド位置は、薬剤がカートリッジ室から吐出させられ、さらには／あるいは注射された位置であってよい。例えば、注射プランジャロッド位置を、カートリッジ出口に近い位置など、カートリッジ室内の薬剤が減らされ、例えば最小限にされる位置に、第１のストッパを位置させるように選択することができる。注射プランジャロッド位置は、プランジャロッド伸張位置であってよい。
【００５３】
プランジャロッドを、プランジャロッド後退位置に向かって、例えばプランジャロッド後退位置へと移動させることができる。例えば、プランジャロッドを、注射プランジャロッド位置および／またはプランジャロッド伸張位置などから、注射の完了後に、プランジャロッド後退位置に向かって、例えばプランジャロッド後退位置へと移動させることができる。
【００５４】
処理ユニットを、プランジャロッドを混合プランジャロッド位置、第２のプランジャロッド位置、注射プランジャロッド位置、プランジャロッド伸張位置、および／またはプランジャロッド後退位置へと移動させるように構成することができる。
【００５５】
処理ユニットを、例えば第２のプランジャロッド位置などの先行のプランジャロッド位置へのプランジャロッドの移動の完了後に、トリガイベントを受信し、トリガイベントの受信を受けて駆動モジュールを制御してプランジャロッドを注射プランジャロッド位置へと移動させるように構成することができる。
【００５６】
自動注射器は、プランジャロッド位置センサなどの排出センサを備えることができる。排出センサを、カートリッジ室内の薬剤および／または空気の吐出などの排出を検出するように構成することができる。排出センサを、プランジャロッドの位置および／または第１のストッパの位置を検出および／または決定するように構成することができる。排出センサを、プランジャロッドの位置および／または第１のストッパの位置を示す状態を検出するように構成することができる。排出センサを、排出センサ信号をもたらすように構成することができる。排出センサ信号は、プランジャロッドおよび／または第１のストッパの位置を表すことができる。
【００５７】
排出センサは、例えば駆動モジュールの回転計など、回転計を備えることができる。回転計を、例えばプランジャロッドのプランジャロッド後退位置などのプランジャロッドの位置が既知である所定の点からの駆動モジュールの回転数など、駆動モジュールのモータなどの駆動モジュールの回転数をカウントするように構成することができる。駆動モジュールの回転数を、混合前プランジャロッド位置、混合プランジャロッド位置、プライムプランジャロッド位置、注射プランジャロッド位置、プランジャロッド伸張位置、および／またはプランジャロッド後退位置など、プランジャロッドの実際の位置を決定するために使用することができる。
【００５８】
処理ユニットを、回転計などの排出センサに接続することができる。処理ユニットは、駆動モジュールの回転数を示す回転計信号などの第１の排出センサ信号を排出センサから受信することができる。処理ユニットは、第１の排出センサ信号に基づいてプランジャロッドの位置を決定することができる。処理ユニットは、プランジャロッドがプランジャロッド後退位置および／または第１のプランジャロッド位置などの既知の位置にあることを示す第２の排出センサ信号を、例えば排出センサから受信することができる。処理ユニットは、第１の排出センサ信号および第２の排出センサ信号に基づいて、プランジャロッドの位置を決定することができる。
【００５９】
カートリッジは、カートリッジレシーバにロック可能であってよく、例えばカートリッジをカートリッジレシーバにロックして、カートリッジのカートリッジレシーバからの取り外しを防止することができる。プランジャロッドをプランジャロッド伸張位置に向かって移動させることで、カートリッジをカートリッジレシーバにロックすることができる。例えば、混合プランジャロッド位置へとプランジャロッドを移動させることで、カートリッジをカートリッジレシーバにロックすることができる。プランジャロッドをプランジャロッド後退位置に向かって移動させることで、カートリッジレシーバへのカートリッジのロックを解除することができる。例えば、プランジャロッドをプランジャロッド後退位置へと移動させることで、カートリッジレシーバへのカートリッジのロックを解除することができる。カートリッジを、プランジャロッドがプランジャロッド後退位置および／またはプランジャロッド後退位置の付近にない場合に、カートリッジレシーバにロックすることができる。プランジャロッドの位置をカートリッジレシーバにおけるカートリッジのロックと結び付けることで、自動注射器が作動しているときのカートリッジの解放を制限または防止することができるという利点を提供することができる。
【００６０】
自動注射器は、向きセンサを備えることができる。向きセンサを、例えばカートリッジがカートリッジレシーバに受け入れられたときに、カートリッジの向きを示す向き信号をもたらすように構成することができる。向き信号は、重力の方向に対するカートリッジの向きなど、重力に対するカートリッジの向きを示すことができる。向き信号は、例えば３軸加速度信号などの加速度信号であってよい。向き信号は、例えば三次元の加速度データなどの加速度データを含むことができる。向き信号は、装置の加速度を表す加速度データを含むことができる。
【００６１】
向きセンサを、カートリッジの向きおよび／または自動注射器の向きなどのカートリッジの向きを表す向きを検出するように構成することができる。検出された向きは、重力の方向に対する向きなど、重力に対する向きであってよい。向きセンサを、重力の方向を検出するように構成することができ、さらには／あるいは重力の方向が所定の方向の特定の範囲内にあるか否かを検出するように構成することができる。向きセンサは、加速度計を備えることができる。向きセンサは、例えば３次元加速度計などの３次元における加速度を検出するように配置された３つの加速度計など、３つの加速度計などの複数の加速度計を備えることができる。向きセンサは、傾斜センサ、３軸加速度計、１軸加速度計、磁気計、および／またはこれらの任意の組み合わせを備えることができ、向きセンサは、ロール、ピッチ、および方位角の測定値、１つ以上の方向の加速度および／または傾斜の測定値、などをもたらすことができる。
【００６２】
向きセンサを、例えば線形加速度および／または速度および／または位置ならびに／あるいは１次元、２次元、または３次元における追加の回転加速度および／または回転速度など、動的信号をもたらすように構成することができる。向きセンサを、装置の位置および／または動きについて完全な慣性感知をもたらすように構成することができる。処理ユニットを、例えば速度信号を導出するための加速度信号の時間積分および／または速度信号から位置信号を導出するための時間積分など、向き信号などの運動センサ信号を或るドメインから他のドメインへと変換するように構成することができる。
【００６３】
向きセンサを、カートリッジが所定の向きであるかどうかを検出するように構成することができる。向きセンサを、自動注射器の向きが、カートリッジが所定の向きにあることを示しているかどうかを検出するように構成することができる。所定の向きは、鉛直向きであってよい。所定の向きは、鉛直の３０度の範囲内など、鉛直の４５度の範囲内の向きであってよい。所定の向きは、カートリッジの長手軸が鉛直の３０度の範囲内など、鉛直の４５度の範囲内にあるようにカートリッジが向けられ、カートリッジ出口がカートリッジ室の上方の鉛直位置など、カートリッジ室よりも上方に位置する向きであってよい。
【００６４】
処理ユニットを、向きセンサに接続することができる。処理ユニットを、例えばカートリッジレシーバに受け入れられたカートリッジの向きを表し、さらには／あるいは自動注射器の向きを表す向き信号を受信するように構成することができる。
【００６５】
プランジャロッドの混合プランジャロッド位置および／または第２のプランジャロッド位置および／または注射プランジャロッド位置への移動は、例えば向き信号など、カートリッジの向きに基づくことができる。例えば、第１のプランジャロッド位置から混合プランジャロッド位置へのプランジャロッドの移動が、向き信号に基づくことができる。
【００６６】
例えば、プランジャロッドの混合プランジャロッド位置および／または第２のプランジャロッド位置および／または注射プランジャロッド位置への移動は、鉛直とカートリッジに沿って延びる長手軸との間の傾斜角度が３０度以内など、４５度以内であり、かつカートリッジ出口がカートリッジ室よりも高い鉛直位置にあることを、必要とすることができる。
【００６７】
プランジャロッドを混合プランジャロッド位置および／またはプライムプランジャロッド位置および／または注射プランジャロッド位置へと移動させるための駆動モジュールの制御は、例えば向き信号など、カートリッジの向きに基づくことができる。
【００６８】
処理ユニットを、向き信号に基づいて駆動モジュールを制御するように構成することができる。例えば、処理ユニットを、向き信号に基づいて、プランジャロッドを混合プランジャロッド位置および／または第２のプランジャロッド位置および／または注射プランジャロッド位置へと移動させるように駆動モジュールを制御するように構成することができる。例えば、処理ユニットを、向き信号が、鉛直とカートリッジに沿って延びる長手軸との間の傾斜角度が鉛直の３０度以内など、４５度以内であることを示している場合、および／またはカートリッジ出口がカートリッジ室よりも高い鉛直位置にある場合に限り、プランジャロッドを混合プランジャロッド位置および／または第２のプランジャロッド位置および／または注射プランジャロッド位置へと移動させるように駆動モジュールを制御するように構成することができる。
【００６９】
第１の運動パラメータを、例えば、向き信号に基づいて決定することができる。処理ユニットを、第１の運動パラメータを決定するように構成することができる。第１の運動パラメータは、自動注射器の累積の運動に基づくことができる。第１の運動パラメータは、例えばプランジャロッドの混合プランジャロッド位置への移動の完了からの所定の時間期間の間、および／または先行する１秒間などの先行の所定の時間の間の自動注射器の運動の量を表すことができる。第１の運動パラメータは、例えばプランジャロッドの混合プランジャロッド位置への移動の完了からの時間、および／または先行の１秒間などの先行の所定の時間における向き信号の累積尺度に基づくことができる。第１の運動パラメータは、装置の震とう（ｓｈａｋｉｎｇ）を示すことができる。２つの薬剤成分の混合時の装置の震とうは、薬剤の過度の発泡をもたらす可能性がある。薬剤の過度の発泡により、より長い再構成時間が必要になる可能性がある。発泡を防止するために、プランジャロッドの移動速度を、装置の震とうが検出された場合に下げるなど、調整することができる。反対に、装置の穏やかな震とうは、発泡を伴うことなく再構成を高速にすることで、必要な再構成時間を短くすることができる。このように、震とうの量は、決定される再構成時間に影響を及ぼす。
【００７０】
これに代え、あるいはこれに加えて、第１の運動パラメータは、例えば自動注射器の遠位端などの自動注射器の第１の端部が実質的に上方を向いているような或る１つの鉛直方向の向きから、自動注射器の第１の端部が実質的に下方を向いている逆さ向きへの自動注射器の回転を表すことができる。第１の運動パラメータは、自動注射器の反転の回数を表すことができる。処理ユニットを、反転の回数を検出および／またはカウントするように構成することができる。反転は、自動注射器の第１の端部が実質的に上方を向いている向きから、自動注射器の第１の端部が実質的に下方を向いている逆さの向きへの自動注射器の反転を含むことができる。例えば、反転は、自動注射器の第１の端部が上方の４５度の範囲内を向いている向きから、自動注射器の第１の端部が下方の４５度の範囲内を向いている逆さの向きへの自動注射器の反転を含むことができる。これに代え、あるいはこれに加えて、反転は、自動注射器の第１の端部が実質的に下方を向いている向きから、自動注射器の第１の端部が実質的に上方を向いている逆さの向きへの自動注射器の反転を含むことができる。例えば、反転は、自動注射器の第１の端部が下方の４５度の範囲内を向いている向きから、自動注射器の第１の端部が上方の４５度の範囲内を向いている逆さの向きへの自動注射器の反転を含むことができる。
【００７１】
処理ユニットを、予め定められた回数の反転が完了したときに、例えば自動注射器のユーザインタフェースを介してフィードバックをもたらすように構成することができる。再構成時間は、所定の回数の反転が完了したか否かなどの第１の運動パラメータに基づくことができる。所定の回数の反転は、混合された薬物へと再構成中に加えられる運動エネルギの量に基づくことができ、例えば所定の回数の反転が、混合された薬物へと再構成中に加えられる運動エネルギの量に相関し得る。所定の回数の反転は、例えば５回や、３〜７回の間など、１〜１０回の間であってよい。所定の回数の反転は、カートリッジコード特徴部を表すコード信号などのカートリッジコード特徴部に基づくことができる。これに代え、あるいはこれに加えて、所定の回数の反転は、薬剤の温度を表す温度信号などの薬剤の温度に基づくことができる。
【００７２】
第１の運動パラメータは、回転の角速度および／またはこのような反転の間の待機期間／遅延と組み合わせた反対の鉛直方向の向きの間の複合回転を表すことができる。処理ユニットは、例えば反転の回数のカウントに加えて、自動注射器の回転加速度を測定することができる。処理ユニットは、例えば自動注射器の回転加速度の測定値および／または反転の回数のカウントに基づいて、再構成される薬剤に作用する力およびエネルギを推定することができる。処理ユニットは、予め定められた量のエネルギが自動注射器および／またはカートリッジに加えられたときに、例えばユーザインタフェースを介してフィードバックをもたらすことができる。
【００７３】
これに代え、あるいはこれに加えて、加速度が所定の上限しきい値を超えないことを、監視することができる。所定の上限しきい値は、発泡の危険性に結び付くことが知られている加速度を表すことができる。例えば、所定の上限しきい値を超える加速度は、発泡の危険性に結び付くことが知られていてよい。
【００７４】
自動注射器の回転加速度の測定値および／または反転の回数のカウントなどに基づき、自動注射器に加えられるエネルギの総量を連続的に評価して、エネルギの水準が例えば所定の下限しきい値を下回るなど、低すぎると考えられる場合、および／またはエネルギの水準が例えば所定の上限しきい値を上回るなど、高すぎると考えられる場合に、例えばこのような運動を実行しているユーザに、リアルタイムの指示を与えることができる。所定の下限しきい値は、運動が再構成の加速に効果を持たないと考えられるエネルギの水準であってよい。所定の上限しきい値は、運動が発泡の危険性を高めると考えられるエネルギの水準であってよい。
【００７５】
第１の運動パラメータは、１秒当たりの反転の回数など、自動注射器の運動の周波数を表すことができる。
【００７６】
再構成時間は、第１の運動パラメータが周波数しきい値を上回る周波数を示すか否かなど、第１の運動パラメータに基づくことができる。周波数しきい値は、例えば０．７Ｈｚや、０．５〜０．９Ｈｚの間など、０．３〜１．２Ｈｚの間であってよい。周波数しきい値は、カートリッジコード特徴部に基づくことができ、例えばカートリッジコード特徴部を表すコード信号に基づくことができる。これに代え、あるいはこれに加えて、周波数しきい値は、薬剤の温度に基づくことができ、例えば薬剤の温度を表す温度信号に基づくことができる。
【００７７】
再構成時間は、第１の運動パラメータに基づくことができ、例えば所定の回数の反転が完了したか否かに基づくことができ、例えば所定の回数の反転が周波数しきい値を上回る周波数で完了したか否かに基づくことができる。例えば、再構成時間は、０．５Ｈｚ以上の周波数で５回の反転が完了するなど、周波数しきい値を上回る周波数で所定の回数の反転が完了することに基づくことができる。
【００７８】
自動注射器、例えばカートリッジレシーバを、カートリッジとカートリッジコード特徴部とを含むカートリッジアセンブリを受け入れるように構成することができる。
【００７９】
自動注射器は、コードセンサを備えることができる。コードセンサを、例えば１つ以上のカートリッジ仕様を表すカートリッジおよび／またはカートリッジアセンブリのカートリッジコード特徴部などのカートリッジコード特徴部を読み取るように構成することができる。コードセンサを、カートリッジコード特徴部を表すコード信号をもたらすように構成することができる。
【００８０】
処理ユニットを、コードセンサに接続することができる。処理ユニットを、コード信号を受信するように構成することができる。処理ユニットを、カートリッジコード特徴部を表すコード信号をコードセンサから受信するように構成することができる。第１のプランジャロッド位置から混合プランジャロッド位置への移動などのプランジャロッドの移動は、コード信号に基づくことができる。
【００８１】
処理ユニットを、偽造カートリッジおよび／または使用済みカートリッジおよび／または改ざんされたカートリッジおよび／または用量が間違っているカートリッジおよび／または間違った薬剤を収容したカートリッジなどの非正規のカートリッジをコード信号に基づいて決定するように構成することができる。
【００８２】
コードセンサは、光学センサを備えることができる。コードセンサは、光送信器および光受信器などの送信器および受信器を備える光学センサを備えることができる。コードセンサを、カートリッジコード特徴部を読み取るように構成することができる。コードセンサを、色コード、バーコード、ＲＦＩＤタグ、ＮＦＣタグ、識別番号、ＱＲコード、および／またはこれらの任意の組み合わせを読み取るように構成することができる。
【００８３】
位置、速度、および／または遅延など、プランジャロッドの移動は、コード信号に基づくことができる。例えば、プランジャロッドの混合プランジャロッド位置および／または第２のプランジャロッド位置および／または注射プランジャロッド位置への移動は、例えばコード信号など、カートリッジコード特徴部に基づくことができる。例えば、プランジャロッドを混合プランジャロッド位置および／または第２のプランジャロッド位置に移動させるための駆動モジュールの制御は、コード信号に基づくことができる。処理ユニットを、コード信号に基づいて駆動モジュールを制御するように構成することができる。例えば、処理ユニットを、コード信号に基づいて、プランジャロッドを混合プランジャロッド位置および／または第２のプランジャロッド位置に移動させるように駆動モジュールを制御するように構成することができる。
【００８４】
例えばコード信号などのカートリッジ仕様に基づくプランジャロッドの移動は、プランジャロッドの移動をいくつかの種類のカートリッジに合わせて最適化することを可能にする。例えば、たとえ異なるカートリッジであっても、空気の排出を実行するときに薬剤の吐出を少なくし、あるいは皆無にすることができるため、用量の精度を向上させ、かつ／または患者の不快を軽減することができる。これに加えて、あるいはこれに代えて、混合の手順を、カートリッジの仕様を知ることによって、少ない発泡で実行することができる。
【００８５】
例えばコード信号などのカートリッジ仕様に基づくプランジャロッドの移動は、プランジャロッドの移動をいくつかの種類のカートリッジに合わせて最適化することを可能にする。例えば、プランジャロッドを、カートリッジレシーバへのカートリッジの受け入れの検出および第１の入力信号の受信の後にカートリッジ仕様に応じた時間にわたって混合プランジャロッド位置にとどめることにより、例えば異なるカートリッジであっても、適切な混合を保証し、かつ／または患者の不快を軽減することができる。
【００８６】
自動注射器は、抵抗センサを備えることができる。抵抗センサを、抵抗信号をもたらすように構成することができる。抵抗信号は、プランジャロッドの移動に対する抵抗を表すことができる。処理ユニットを、抵抗センサに接続することができる。処理ユニットを、抵抗信号を受信するように構成することができる。
【００８７】
抵抗信号は、プランジャロッド伸張位置に向かう移動など、プランジャロッドの一方向への移動に対する抵抗を表すことができる。例えば、抵抗信号は、例えばプランジャロッド伸張位置に向かってプランジャロッドを移動させるために必要な力を表すことができる。
【００８８】
抵抗センサを、例えば駆動モジュールの電気抵抗、電流、および／または電圧、ならびに／あるいはこれらの組み合わせを測定することによって、駆動モジュールによって消費される電力を決定するように構成することができる。抵抗センサは、電気抵抗センサ、電流センサ、および／または電圧センサを備えることができる。駆動モジュールは、抵抗センサを備えることができる。
【００８９】
抵抗センサを、プランジャロッドのプランジャロッド前端部に加えられる圧力および／または力を測定するように構成することができる。プランジャロッド前端部を、カートリッジの第１のストッパと係合するように構成することができる。抵抗センサを、プランジャロッドとストッパとの間の圧力および／または力を測定するように構成することができる。例えば、抵抗センサは、プランジャロッド前端部に圧力トランスデューサおよび／または力変換器を備えることができる。プランジャロッドは、抵抗センサを備えることができる。
【００９０】
プランジャロッドの移動は、抵抗信号に基づくことができる。例えば、プランジャロッドの混合プランジャロッド位置および／または第２のプランジャロッド位置および／または注射プランジャロッド位置への移動は、プランジャロッドの移動に対する抵抗に基づくことができ、例えば抵抗信号に基づくことができる。例えば、プランジャロッドを混合プランジャロッド位置へと移動させるための駆動モジュールの制御が、抵抗信号に基づくことができる。処理ユニットを、抵抗信号に基づいて駆動モジュールを制御するように構成することができる。例えば、処理ユニットを、抵抗信号に基づいて駆動モジュールを制御してプランジャロッドを混合プランジャロッド位置へと移動させるように構成することができる。
【００９１】
自動注射器は、温度センサを備えることができる。温度センサを、例えばカートリッジがカートリッジレシーバに受け入れられたときのカートリッジ内の薬剤の温度など、自動注射器および／またはカートリッジおよび／または薬剤の温度を表す温度信号などの温度信号をもたらすように構成することができる。温度センサは、赤外線光学センサなどの赤外線センサを備えることができる。温度センサおよびコードセンサは、共通の光学センサなどの共通の光学センサを利用することができる。したがって、赤外線光学センサなどの光学センサを、温度の感知およびカートリッジコード特徴部の読み取りの両方に使用することができる。
【００９２】
処理ユニットを、温度センサに接続することができる。処理ユニットを、温度信号を受信するように構成することができる。
【００９３】
プランジャロッドの混合プランジャロッド位置および／または第２のプランジャロッド位置および／または注射プランジャロッド位置への移動は、自動注射器および／またはカートリッジおよび／または薬剤の温度に基づくことができる。プランジャロッドの混合プランジャロッド位置および／または第２のプランジャロッド位置および／または注射プランジャロッド位置への移動は、温度信号に基づくことができる。
【００９４】
処理ユニットなど、自動注射器を、温度信号に基づいて駆動モジュールを制御するように構成することができる。例えば、処理ユニットを、温度信号に基づいて、プランジャロッドを混合プランジャロッド位置および／またはプライムプランジャロッド位置および／または注射プランジャロッド位置へと移動させるように駆動モジュールを制御するように構成することができる。
【００９５】
自動注射器は、温度制御ユニットを備えることができる。温度制御ユニットを、例えばカートリッジがカートリッジレシーバに受け入れられたときに、カートリッジの温度を変更するように構成することができる。温度制御ユニットを、カートリッジおよび／または薬剤の温度を上昇および／または下降させるように構成することができる。これにより、温度に依存する手順のステップを、例えばこれらのステップをより速く実行するように制御することができる。
【００９６】
温度制御ユニットは、加熱素子を備えることができる。加熱素子を、自動注射器および／またはカートリッジおよび／または薬剤の温度を上昇させるように構成することができる。加熱素子は、抵抗加熱素子であってよい。加熱素子は、光源であってよく、例えば赤外線ランプであってよい。加熱素子は、誘電加熱素子であってよい。加熱素子は、ペルチェ素子などの熱電素子であってよい。
【００９７】
温度制御ユニットは、冷却素子を備えることができる。冷却素子を、自動注射器および／またはカートリッジおよび／または薬剤の温度を低下させるように構成することができる。冷却素子は、ペルチェ素子などの熱電素子であってよい。
【００９８】
温度制御ユニットは、ペルチェ素子などの熱電素子を備えることができる。熱電素子を、例えば電気エネルギの消費にて素子の一方の側から他方の側へと熱を伝達するなど、ペルチェ効果の使用などによって、温度を上昇または下降させるために使用することができる。熱電素子は、電流の方向に応じて、温度を上昇または下降させるために使用可能である。
【００９９】
温度制御ユニットは、例えばカートリッジがカートリッジレシーバに受け入れられたときにカートリッジと接触するように構成された接触要素を備えることができる。温度制御ユニットは、コイル要素を備えることができる。コイル要素を、例えばカートリッジがカートリッジレシーバに受け入れられたときにカートリッジの全周を囲むように構成することができる。
【０１００】
自動注射器は、第１の入力装置などの入力装置を備えることができる。第１の入力装置は、ボタンまたはタッチセンサ領域またはマイクロホンであってよい。第１の入力装置を、第１の入力信号をもたらすように構成することができる。第１の入力信号は、第１の入力装置との第１のユーザ対話を表すことができる。第１の入力装置を、第２の入力信号をもたらすように構成することができる。第２の入力信号は、第１の入力装置との第２のユーザ対話を表すことができる。
【０１０１】
処理ユニットを、第１の入力装置に接続することができる。処理ユニットを、第１の入力信号および／または第２の入力信号を受信するように構成することができる。処理ユニットを、第１の入力信号を受信した後でのみ、プランジャロッドを混合プランジャロッド位置へと移動させるように駆動モジュールを制御するように構成することができる。処理ユニットを、第２の入力信号を受信した後でのみ、プランジャロッドを第２のプランジャロッド位置へと移動させるように駆動モジュールを制御するように構成することができる。
【０１０２】
自動注射器は、接触部材を備えることができる。接触部材を、注射部位に押し付けられるように構成することができる。接触部材は、接触部材伸張位置と接触部材後退位置との間で移動可能であってよい。接触部材を、例えば接触部材ばねによって接触部材伸張位置に向かって付勢することができる。接触部材を、例えば注射部位に押し付けられたときに接触部材後退位置に向かって移動するように構成することができる。接触部材および／または接触部材センサを、接触部材の位置を表す接触部材信号をもたらすように構成することができる。自動注射器および／または接触部材は、接触部材の位置を検出するように構成された接触部材センサを備えることができる。接触部材センサを、接触部材を示す接触部材信号をもたらすように構成することができる。
【０１０３】
接触部材は、例えば接触部材伸張位置と接触部材後退位置との間の第１の接触部材位置にあってよい。第１の接触部材位置にある接触部材は、接触部材が接触部材後退位置に近接していることを示すことができる。第１の接触部材位置にある接触部材は、接触部材が注射部位に対して押し付けられていることを示すことができる。第１の接触部材位置にある接触部材は、カートリッジに配置された針が、薬剤の注射の開始のために皮膚へと充分に押し込まれていることを示すことができる。
【０１０４】
処理ユニットを、接触部材に接続することができる。処理ユニットを、接触部材信号を受信するように構成することができる。トリガイベントは、接触部材が第１の接触部材位置にあることを示す接触部材信号を含むことができる。接触部材は、トリガ部材であってよい。
【０１０５】
第１のプランジャロッド位置、混合プランジャロッド位置、第２のプランジャロッド位置、および／または注射プランジャロッド位置などのプランジャロッド位置は、温度信号など、薬剤の温度に基づくことができる。例えば、薬剤は、異なる温度においてわずかに異なる体積を有する可能性があり、これを、薬剤の温度に基づいてプランジャロッドの位置を決定することによって補償することができる。例えば、処理ユニットを、温度信号に基づいて第１のプランジャロッド位置、混合プランジャロッド位置、第２のプランジャロッド位置、および／または注射プランジャロッド位置などのプランジャロッド位置を決定するように構成することができる。
【０１０６】
第１のプランジャロッド位置、混合プランジャロッド位置、第２のプランジャロッド位置、および／または注射プランジャロッド位置などのプランジャロッド位置は、カートリッジ仕様に基づくことができ、例えばカートリッジコード特徴部に基づくことができ、例えばコード信号に基づくことができる。例えば、処理ユニットを、コード信号に基づいて第１のプランジャロッド位置、混合プランジャロッド位置、第２のプランジャロッド位置、および／または注射プランジャロッド位置などのプランジャロッド位置を決定するように構成することができる。
【０１０７】
第１のプランジャロッド位置、混合プランジャロッド位置、第２のプランジャロッド位置、および／または注射プランジャロッド位置などのプランジャロッド位置は、向き信号など、カートリッジの向きに基づくことができる。例えば、処理ユニットを、向き信号に基づいて第１のプランジャロッド位置、混合プランジャロッド位置、第２のプランジャロッド位置、および／または注射プランジャロッド位置などのプランジャロッド位置を決定するように構成することができる。
【０１０８】
第１のプランジャロッド位置、混合プランジャロッド位置、第２のプランジャロッド位置、および／または注射プランジャロッド位置などのプランジャロッド位置は、第１の運動パラメータなど、装置の震とうに基づくことができる。例えば、処理ユニットを、第１の運動パラメータに基づいて第１のプランジャロッド位置、混合プランジャロッド位置、第２のプランジャロッド位置、および／または注射プランジャロッド位置などのプランジャロッド位置を決定するように構成することができる。
【０１０９】
第１のプランジャロッド位置、混合プランジャロッド位置、第２のプランジャロッド位置、および／または注射プランジャロッド位置などのプランジャロッド位置は、抵抗信号など、プランジャロッドの移動に対する抵抗に基づくことができる。例えば、処理ユニットを、抵抗信号に基づいて第１のプランジャロッド位置、混合プランジャロッド位置、第２のプランジャロッド位置、および／または注射プランジャロッド位置などのプランジャロッド位置を決定するように構成することができる。
【０１１０】
処理ユニットを、コード信号および／または温度信号および／または向き信号および／または第１の運動パラメータおよび／または抵抗信号に基づいて第１のプランジャロッド位置、混合プランジャロッド位置、第２のプランジャロッド位置、および／または注射プランジャロッド位置などのプランジャロッド位置を決定するように構成することができる。
【０１１１】
プランジャロッドの移動は、混合プランジャロッド速度、第２のプランジャロッド速度、および／または注射プランジャロッド速度などのプランジャロッド速度を有する移動を含むことができる。プランジャロッド速度は、プランジャロッドの位置に基づくことができる。プランジャロッドを、第１のプランジャロッド位置などから、混合プランジャロッド速度で、混合プランジャロッド位置へと移動させることができる。プランジャロッドを、混合プランジャロッド位置などから、第２のプランジャロッド速度で、第２のプランジャロッド位置へと移動させることができる。プランジャロッドを、混合プランジャロッド位置および／または第２のプランジャロッド位置などから、注射プランジャロッド速度で、注射プランジャロッド位置へと移動させることができる。
【０１１２】
混合プランジャロッド速度、第２のプランジャロッド速度、および／または注射プランジャロッド速度などのプランジャロッド速度は、一定であってよい。混合プランジャロッド速度、第２のプランジャロッド速度、および／または注射プランジャロッド速度などのプランジャロッド速度は、変化してもよく、例えば時間および／または距離につれて変化してもよい。
【０１１３】
混合プランジャのロッド速度は、１．７ｍｍ／秒など、１ｍｍ／秒〜３ｍｍ／秒の間であってよい。
【０１１４】
処理ユニットを、プランジャロッドを第１のプランジャロッド位置などから混合プランジャロッド位置へと混合プランジャロッド速度で移動させるように駆動モジュールを制御するように構成することができる。処理ユニットを、プランジャロッドを混合プランジャロッド位置などから第２のプランジャロッド位置へと第２のプランジャロッド速度で移動させるように駆動モジュールを制御するように構成することができる。処理ユニットを、プランジャロッドを第２のプランジャロッド位置などから注射プランジャロッド位置へと注射プランジャロッド速度で移動させるように駆動モジュールを制御するように構成することができる。
【０１１５】
混合プランジャロッド速度、第２のプランジャロッド速度、および／または注射プランジャロッド速度は、カートリッジ仕様に基づくことができ、例えばカートリッジコード特徴部に基づくことができ、例えばコード信号に基づくことができる。処理ユニットを、コード信号に基づいて混合プランジャロッド速度、第２のプランジャロッド速度、および／または注射プランジャロッド速度を決定するように構成することができる。
【０１１６】
混合プランジャロッド速度、第２のプランジャロッド速度、および／または注射プランジャロッド速度は、温度信号など、薬剤の温度に基づくことができる。処理ユニットを、温度信号に基づいて混合プランジャロッド速度、第２のプランジャロッド速度、および／または注射プランジャロッド速度を決定するように構成することができる。
【０１１７】
混合プランジャロッド速度、第２のプランジャロッド速度、および／または注射プランジャロッド速度は、向き信号など、カートリッジの向きに基づくことができる。処理ユニットを、向き信号に基づいて混合プランジャロッド速度、第２のプランジャロッド速度、および／または注射プランジャロッド速度を決定するように構成することができる。
【０１１８】
混合プランジャロッド速度、第２のプランジャロッド速度、および／または注射プランジャロッド速度は、第１の運動パラメータに基づくことができる。処理ユニットを、第１の運動パラメータに基づいて混合プランジャロッド速度、第２のプランジャロッド速度、および／または注射プランジャロッド速度を決定するように構成することができる。
【０１１９】
混合プランジャロッド速度、第２のプランジャロッド速度、および／または注射プランジャロッド速度は、抵抗信号など、プランジャロッドの移動に対する抵抗に基づくことができる。処理ユニットを、抵抗信号に基づいて混合プランジャロッド速度、第２のプランジャロッド速度、および／または注射プランジャロッド速度を決定するように構成することができる。
【０１２０】
処理ユニットを、コード信号および／または温度信号および／または向き信号および／または第１の運動パラメータおよび／または抵抗信号に基づいて、混合プランジャロッド速度、第２のプランジャロッド速度、および／または注射プランジャロッド速度を決定するように構成することができる。
【０１２１】
遅延などの１つ以上の経過時間を、混合プランジャロッド位置への移動、第２のプランジャロッド位置への移動、注射プランジャロッド位置への移動、などのプランジャロッドの移動の前に存在させることができる。例えば、プランジャロッドの第２のプランジャロッド位置への移動は、プランジャロッドの混合プランジャロッド位置への移動が完了してから再構成時間が経過したことを必要とすることができる。再構成時間を、薬剤の再構成を保証し、例えば第１の薬剤成分および第２の薬剤成分が充分に溶解するなど混合されたことを保証するための充分な時間を可能にするように選択される。
【０１２２】
いくつかの場合、再構成時間は、きわめて短くてよい。再構成時間は、１０秒未満であってよく、例えば５秒未満であってよく、例えば１秒未満であってよい。あるいは、再構成時間は、１秒超であってよく、例えば１０秒超であってよく、例えば１分超であってよく、例えば５分超であってよい。
【０１２３】
再構成時間は、１〜１０分の間であってよく、例えば２〜５分の間であってよく、例えば３分であってよい。
【０１２４】
処理ユニットを、遅延時間などの１つ以上の経過時間に基づいて、プランジャロッドを混合プランジャロッド位置および／または第２のプランジャロッド位置および／または注射プランジャロッド位置へと移動させるように駆動モジュールを制御するように構成することができる。例えば、処理ユニットを、プランジャロッドの混合プランジャロッド位置への移動の完了から再構成時間が経過した後でのみ、プランジャロッドを第２のプランジャロッド位置へと移動させるように駆動モジュールを制御するように構成することができる。
【０１２５】
再構成時間は、カートリッジ仕様に基づくことができ、例えば再構成時間は、カートリッジコード特徴部に基づくことができ、例えば再構成時間は、コード信号に基づくことができる。処理ユニットを、コード信号に基づいて再構成時間を決定するように構成することができる。
【０１２６】
これに代え、あるいはこれに加えて、再構成時間は、温度に基づくことができ、例えば再構成時間は、薬剤の温度に基づくことができ、例えば再構成時間は、温度信号に基づくことができる。例えば、再構成時間は、より低い温度において、より高い温度の場合よりも長くてよい。処理ユニットを、温度信号に基づいて再構成時間を決定するように構成することができる。
【０１２７】
これに代え、あるいはこれに加えて、再構成時間は、向き信号に基づいてもよい。処理ユニットを、向き信号に基づいて再構成時間を決定するように構成することができる。
【０１２８】
これに代え、あるいはこれに加えて、再構成時間は、第１の運動パラメータに基づいてもよい。処理ユニットを、第１の運動パラメータに基づいて再構成時間を決定するように構成することができる。
【０１２９】
これに代え、あるいはこれに加えて、再構成時間は、抵抗信号など、プランジャロッドの移動に対する抵抗に基づいてもよい。処理ユニットを、抵抗信号に基づいて再構成時間を決定するように構成することができる。
【０１３０】
処理ユニットを、コード信号および／または温度信号および／または向き信号および／または第１の運動パラメータおよび／または抵抗信号に基づいて、再構成時間を決定するように構成することができる。
【０１３１】
プランジャロッドを、プランジャロッドの注射プランジャロッド位置への移動の完了後に、プランジャロッド後退位置に向かって、例えばプランジャロッド後退位置まで移動させることができる。処理ユニットを、プランジャロッドの注射プランジャロッド位置への移動の完了後にプランジャロッドをプランジャロッド後退位置に向かって移動させるように駆動モジュールを制御するように構成することができる。
【０１３２】
例えばプランジャロッドの注射プランジャロッド位置への移動の完了後に、プランジャロッド後退位置へと向かい、例えばプランジャロッド後退位置へと到るプランジャロッドの移動は、例えばプランジャロッドの注射プランジャロッド位置への移動の完了から滞留時間が経過することを必要とすることができる。滞留時間を、薬剤が組織へと分配されることを保証するための充分な時間を可能にするように選択することができる。滞留時間は、薬剤および／または薬剤の濃度および／または薬剤の量および／または薬剤の温度によって左右され得る。滞留時間は、カートリッジ仕様に基づくことができ、例えば滞留時間は、カートリッジコード特徴部に基づくことができ、例えば滞留時間は、コード信号に基づくことができる。滞留時間は、薬剤の温度に基づくことができ、例えば滞留時間は、温度信号に基づくことができる。
【０１３３】
処理ユニットを、プランジャロッドの注射プランジャロッド位置への移動の完了から滞留時間が経過した後でのみ、プランジャロッドをプランジャロッド後退位置に向かって移動させるように駆動モジュールを制御するように構成することができる。
【０１３４】
滞留時間は、カートリッジ仕様に基づくことができ、例えば滞留時間は、カートリッジコード特徴部に基づくことができ、例えば滞留時間は、コード信号に基づくことができる。処理ユニットを、コード信号に基づいて滞留時間を決定するように構成することができる。
【０１３５】
これに代え、あるいはこれに加えて、滞留時間は、温度に基づくことができ、例えば滞留時間は、薬剤の温度に基づくことができ、例えば滞留時間は、温度信号に基づくことができる。例えば、滞留時間は、より低い温度において、より高い温度の場合よりも長くてよい。処理ユニットを、温度信号に基づいて滞留時間を決定するように構成することができる。
【０１３６】
これに代え、あるいはこれに加えて、滞留時間は、向き信号に基づいてもよい。処理ユニットを、向き信号に基づいて滞留時間を決定するように構成することができる。
【０１３７】
これに代え、あるいはこれに加えて、滞留時間は、第１の運動パラメータに基づいてもよい。処理ユニットを、第１の運動パラメータに基づいて滞留時間を決定するように構成することができる。
【０１３８】
これに代え、あるいはこれに加えて、滞留時間は、抵抗信号など、プランジャロッドの移動に対する抵抗に基づいてもよい。処理ユニットを、抵抗信号に基づいて滞留時間を決定するように構成することができる。
【０１３９】
処理ユニットを、コード信号および／または温度信号および／または向き信号および／または第１の運動パラメータおよび／または抵抗信号に基づいて、滞留時間を決定するように構成することができる。
【０１４０】
本発明の上述の特徴および利点ならびに他の特徴および利点は、添付の図面を参照した本発明の典型的な実施形態の以下の詳細な説明によって、当業者にとって容易に明らかになるであろう。
【図面の簡単な説明】
【０１４１】
【図１】典型的な自動注射器を示している。
【図２】カートリッジを有する典型的な自動注射器を示している。
【図３】典型的なカートリッジを概略的に示している。
【図４】ａ）〜ｄ）は、典型的なカートリッジコード特徴部を有する典型的なカートリッジアセンブリを概略的に示している。
【図５】カートリッジアセンブリを有する典型的な自動注射器を概略的に示している。
【図６】ａ）〜ｄ）は、自動注射器およびカートリッジアセンブリを概略的に示している。
【図７】典型的な自動注射器のブロック図を示している。
【図８】ａ）〜ｆ）は、典型的な位置にある典型的なカートリッジアセンブリおよびプランジャロッドを概略的に示している。
【図９】位置に対する抵抗の典型的なグラフを示している。
【図１０】典型的な方法のフロー図を示している。
【図１１】典型的な方法のフロー図を示している。
【図１２】典型的な方法のフロー図を示している。
【図１３】ａ）〜ｄ）は、典型的なユーザインタフェースを概略的に示している。
【図１４】ａ）〜ｃ）は、典型的な自動注射器の典型的な動作を概略的に示している。
【発明を実施するための形態】
【０１４２】
以下で、さまざまな実施形態を、図面を参照して説明する。同様の参照番号は、全体を通して、同様の要素を指す。したがって、同様の要素は、各々の図の説明に関して、詳細には説明されない。図面が実施形態の説明を容易にすることだけを意図していることにも、留意すべきである。これらは、特許請求の範囲に記載される発明を漏れなく説明しようとするものではなく、特許請求の範囲に記載される発明の範囲を限定しようとするものでもない。加えて、例示される実施形態は、必ずしも示された態様または利点のすべてを有する必要はない。或る特定の実施形態に関連して説明される態様または利点は、必ずしもその実施形態に限定されず、たとえそのように図示されておらず、あるいはそのように明記されていない場合でも、任意の他の実施形態において実施することが可能である。
【０１４３】
図１が、典型的な自動注射器４を示している。自動注射器４を、薬剤を投与するように構成することができる。自動注射器４は、電子式の自動注射器であってよい。
【０１４４】
自動注射器４は、ハウジング６を備える。自動注射器４は、カートリッジレシーバ３００を備える。カートリッジレシーバは、カートリッジおよび／またはカートリッジを含むカートリッジアセンブリを受け入れるように構成される。カートリッジは、薬剤を収容することができる。
【０１４５】
カートリッジレシーバ３００は、カートリッジレシーバ開口部３０１を有する。カートリッジレシーバ３００は、カートリッジレシーバ開口部３０１を通って長手軸Ｌに沿ったカートリッジ受け入れ方向３０４にカートリッジおよび／またはカートリッジアセンブリを受け入れるように構成される。
【０１４６】
自動注射器４は、図示のように、ユーザインタフェース１１００を備えることができる。自動注射器４は、接触部材１１０２などのトリガ部材を備える。接触部材１１０２を、注射部位に対して押し付けられるように構成することができる。接触部材１１０２は、注射部位に対して押し付けられた場合に、ハウジングに対してカートリッジ受け入れ方向３０４に移動可能であってよい。接触部材１１０２は、ユーザインタフェース１１００の一部であってよい。
【０１４７】
ユーザインタフェース１１００は、例えばボタンなど、図示のとおりの第１の入力部材１１０８を備えることができる。第１の入力部材１１０８は、ユーザからのユーザ入力をもたらすことができる。例えば、第１の入力部材１１０８を、次のステップに進むためのユーザからの押し操作を受け付けるために使用することができる。
【０１４８】
ユーザインタフェース１１００は、例えば複数のＬＥＤなどの図示のとおりの第１の出力部材１１１０を備えることができる。第１の出力部材１１１０は、ユーザへのユーザ出力をもたらすことができる。ユーザインタフェース１１００は、例えばスピーカなどの第２の出力部材（図示せず）を備えることができる。第２の出力部材を、ユーザに可聴の出力をもたらすように構成することができる。例えば、第１の出力部材１１１０および／または第２の出力部材を、手順におけるステップをユーザに知らせ、さらには／あるいはエラーメッセージを知らせるために使用することができる。
【０１４９】
図２が、典型的なシステム２を示している。システム２は、図１に関連して説明したとおりの自動注射器４と、カートリッジレシーバ３００に受け入れられた典型的なカートリッジ７００とを備える。カートリッジ７００は、針カバー９０８を備えて図示されている。針カバー９０８は、針カバー９０８をカートリッジ７００から取り外すことができるように、接触部材１１０２の外へと延びている。
【０１５０】
図３が、これまでの図に関連して説明した自動注射器などの自動注射器のカートリッジレシーバに受け入れられるように構成されたカートリッジ７００などの典型的なカートリッジ７００を概略的に示している。
【０１５１】
カートリッジ７００は、カートリッジ室７０２を備える。カートリッジ室７０２を、薬剤を収容するように構成することができる。カートリッジ７００は、第１の端部７１８および第２の端部７２０を有する。カートリッジ７００は、第１のカートリッジ端部７１８にカートリッジ出口７１４を備える。カートリッジを、カートリッジ出口７１４を通って薬剤を吐出するように構成することができる。
【０１５２】
カートリッジは、カートリッジ室の内部で例えば第１のカートリッジ端部に向かって例えば第１のストッパ方向７２２に移動することができる第１のストッパ７０８を備える。例えば、薬剤を、第１のストッパ７０８が第１のストッパ方向に移動するときにカートリッジ出口７１４を通って吐出させることができる。カートリッジは、第２のカートリッジ端部にカートリッジ後面７１６を備える。カートリッジ後面７１６は、プランジャロッドに第１のストッパ７０８へのアクセスを提供するためのカートリッジ後端開口部を備える。
【０１５３】
図示のように、カートリッジ７００は、２室のカートリッジであってよい。カートリッジは、カートリッジ室７０２の内部で例えば第１のカートリッジ端部に向かって例えば第１のストッパ方向７２２に移動することができる第２のストッパ７１０を備える。カートリッジ室７０２は、第１のカートリッジ小室７０４および第２のカートリッジ小室７０６を含む。第１のカートリッジ小室７０４は、第１のストッパ７０８と第２のストッパ７１０との間に位置する。第２のカートリッジ小室７０６は、第２のストッパ７１０とカートリッジ出口７１４との間に位置する。カートリッジは、第１のカートリッジ小室と第２のカートリッジ小室との間の連通をもたらすためのバイパス部７１２を備える。バイパス部７１２は、第２のストッパ７１０がバイパス部７１２に位置するときに第１のカートリッジ小室と第２のカートリッジ小室との間の連通をもたらす。
【０１５４】
第１のカートリッジ小室７０４は、薬剤７９０の第１の薬剤成分７９２を収容する。第１の薬剤成分７９２は、図示のように、液体であってよい。第２のカートリッジ小室７０６は、薬剤７９０の第２の薬剤成分７９４を収容する。第２の薬剤成分７９４は、粉末組成物であってよい。第２のストッパ７１０をバイパス部７１２に位置させることにより、第１の薬剤成分７９２をバイパス部７１２を介して第２のカートリッジ小室７０６へと運ぶことで、第１の薬剤成分７９２と第２の薬剤成分７９４とを混合して、組み合わせの薬剤７９０を得ることができる。
【０１５５】
図４ａ〜図４ｄが、典型的なカートリッジアセンブリ６００を概略的に示している。カートリッジアセンブリ６００は、典型的なカートリッジ７００および典型的なカートリッジコード特徴部（フィーチャ）１０００を備える。カートリッジ７００は、第１のカートリッジ端部７１８および第２のカートリッジ端部７２０を有する。第１のストッパ方向７２２は、第２のカートリッジ端部７２０から第１のカートリッジ端部７１８への方向である。カート特徴部１０００は、第２のカートリッジ端部７２０の近くに配置され、例えば第１のカートリッジ端部７１８よりも第２のカートリッジ端部７２０のより近くに配置される。別の典型的なカートリッジアセンブリにおいては、カートリッジコード特徴部１０００を、第１のカートリッジ端部７２０の近くに配置してもよい。
【０１５６】
図４ａ〜図４ｄは、異なる種類の典型的なカートリッジコード特徴部１０００を示している。
【０１５７】
図４ａは、カートリッジコード特徴部１０００が２つのストリップを備えている典型的なカートリッジアセンブリ６００を示している。２つのストリップは、着色されてよく、例えば異なる着色とされてよい。色の組み合わせおよび／または並びが、カートリッジコード特徴部１０００のコードを表すことができる。
【０１５８】
図４ｂは、カートリッジコード特徴部１０００がバーコードを備えている典型的なカートリッジアセンブリ６００を示している。カートリッジコード特徴部１０００は、１つ以上のバーコードを備えることができる。バーコードは、カートリッジコード特徴部１０００のコードを表す数字を示すことができる。
【０１５９】
図４ｃは、カートリッジコード特徴部１０００が異なる格子模様のストリップを備えている典型的なカートリッジアセンブリ６００を示している。例えば、図示されているように、カートリッジコード特徴部１０００は、２つのストリップを備えることができ、第１のストリップは、４５度の格子模様とされ、第２のストリップは、−４５度の格子模様とされる。格子および／またはお互いに対するストリップの格子が、カートリッジコード特徴部１０００のコードを表すことができる。
【０１６０】
図４ｄは、カートリッジコード特徴部１０００がＲＦＩＤタグまたはＮＦＣタグなどの電磁的に読み取り可能なタグを備える典型的なカートリッジアセンブリ６００を示している。電磁的に読み取り可能なタグは、カートリッジコード特徴部１０００のコードを表すデータを含むことができる。
【０１６１】
図５が、典型的なシステム２を示している。システム２は、例えば図１に関連して説明したとおりの自動注射器４と、典型的なカートリッジアセンブリ６００とを備える。カートリッジアセンブリ６００は、カートリッジ室７０２を有するカートリッジ７００と、針アセンブリ９００と、カートリッジコード特徴部１０００とを備える。カートリッジアセンブリ６００は、自動注射器４に受け入れられる。
【０１６２】
カートリッジアセンブリ６００は、カートリッジホルダ８００を備える。カートリッジホルダ８００は、自動注射器４のカートリッジレシーバ３００にカートリッジ７００を保持するように構成される。カートリッジホルダ８００は、カートリッジ保持部材８０８を備える。カートリッジ保持部材８０８は、カートリッジ７００およびカートリッジアセンブリ６００をカートリッジレシーバ３００に受け入れて保持するために、カートリッジレシーバ３００と係合する。
【０１６３】
針アセンブリ９００は、針９０２および針ハブ９０４を備える。針アセンブリ９００は、例えばカートリッジホルダ８００の針アセンブリ結合部８１２に係合する例えば螺合部などのカートリッジホルダ結合部９０６を有している針ハブ９０４によって、カートリッジ７００に取り付けられる。針９０２は、カートリッジ７００のカートリッジ出口７１４を通って延びる。カートリッジ出口７１４を、針アセンブリ９００がカートリッジ７００に取り付けられるときに針９０２によって貫かれる弾性シールによって塞ぐことができる。
【０１６４】
自動注射器４は、カートリッジコード特徴部１０００を読み取るように構成されたコードセンサ２４を備える。カートリッジアセンブリ６００が挿入されると、図示のように、カートリッジコード特徴部１０００がコードセンサ２４に整列する。
【０１６５】
自動注射器４は、プランジャロッド４００を備える。プランジャロッド４００は、カートリッジ７００の第１のストッパを前進させるように構成される。プランジャロッド４００は、雌のねじ山を有する外側プランジャロッド４０４と、雄のねじ山を有する内側プランジャロッド４０２とを備える。内側プランジャロッド４０２のねじ山は、外側プランジャロッド４０４のねじ山に係合する。外側プランジャロッド４０４の自動注射器のハウジングに対する回転は、防止される。プランジャロッド４００の移動は、内側プランジャロッド４０２の回転を含む。内側プランジャロッド４０２の回転は、外側プランジャロッド４０４の回転が制限されているため、外側プランジャロッド４０４の平行移動をもたらす。外側プランジャロッド４０４は、第１のストッパ方向７２２に平行移動するとき、カートリッジ７００の第１のストッパに当接し、第１のストッパを第１のストッパ方向７２２に移動させるように構成される。
【０１６６】
駆動モジュール５００が、プランジャロッド４００を作動させるように組み合わせられる。駆動モジュール５００は、電力を受け取るためにバッテリに電気的に接続される。駆動モジュール５００は、ＤＣモータなどの電気機械モータなどのモータ５０２を備える。駆動モジュール５００は、モータ５０２をプランジャロッド４００の内側プランジャロッド４０２に結合させるための伝達機構５０４を備える。
【０１６７】
図示の例は、電気機械モータであってよいモータ５０２を備えているが、例えばプランジャロッド４００を作動させるように構成されたソレノイドモータ、形状記憶金属エンジン、ばね装置、および／または加圧ガスを備える他の駆動モジュールを有する自動注射器４も実現可能であることを、容易に理解できるであろう。
【０１６８】
自動注射器４は、プランジャロッド位置センサなどの排出センサ２６を備える。排出センサ２６は、プランジャロッド４００の位置を検出するように構成される。図示の例において、排出センサ２６は、モータ５０２の回転をカウント／検出するように構成された回転計を備える。したがって、プランジャロッド４００の位置を、モータ５０２の回転の総数に基づいて明らかにすることができる。排出センサ２６は、プランジャロッド４００の位置の検出に基づいて、カートリッジ室の薬剤および／または空気の吐出を検出することができる。プランジャロッド４００の位置は、カートリッジ７００の第１のストッパの位置を表すことができ、例えばカートリッジ７００がカートリッジレシーバ３００にあるときの例えばプランジャロッド４００の最も前進した位置は、カートリッジ７００の第１のストッパの位置を表すことができる。
【０１６９】
図６ａ〜図６ｄが、自動注射器４およびカートリッジアセンブリ６００を概略的に示している。図６ａ〜図６ｄは、種々の状況における自動注射器４の接触部材１１０２の典型的な位置を概略的に示している。
【０１７０】
自動注射器４は、カートリッジを受け入れて保持するように構成されたカートリッジレシーバ３００を備える。自動注射器４は、接触部材１１０２を備える。接触部材１１０２は、接触部材伸張位置と接触部材後退位置との間で移動可能であってよい。接触部材１１０２は、接触部材突出部１１１２を備える。接触部材突出部１１１２は、接触部材１１０２と一緒に移動するように構成される。接触部材１１０２を、例えば接触部材ばね（図示せず）によって、接触部材伸張位置に向かって付勢することができる。
【０１７１】
接触部材は、針カバー係合部材１１１４を備える。針カバー係合部材１１１４は、例えばカートリッジレシーバ３００へと挿入されたカートリッジに位置する針カバーの針カバー当接面に当接するように構成される。
【０１７２】
自動注射器４は、接触部材１１０２の位置を検出するように構成された接触部材センサ１１０４を備える。接触部材センサ１１０４は、第１の接触部材センサ１１３０および第２の接触部材センサ１１３２を備える。第１の接触部材センサ１１３０および第２の接触部材センサ１１３２は、光学センサであってよい。接触部材センサ１１０４は、接触部材１１０２が第１の接触部材位置にあるときに第１の接触部材センサ１１３２を覆う接触部材突出部１１１２、および接触部材１１０２が第２の接触部材位置にあるときに第２の接触部材センサ１１３２を覆う接触部材突出部１１１２によって、接触部材１１０２の位置を検出する。
【０１７３】
第１の接触部材位置を、第１の接触部材センサ１１３０が覆われ、第２の接触部材センサ１１３２が覆われることによって、検出することができる。第２の接触部材位置を、第１の接触部材センサ１１３０が覆われず、第２の接触部材センサ１１３２が覆われることによって、検出することができる。接触部材伸張位置を、第１の接触部材センサ１１３０が覆われず、第２の接触部材センサ１１３２が覆われないことによって、検出することができる。
【０１７４】
図６ａは、カートリッジおよび／またはカートリッジアセンブリを受け入れていない状態の自動注射器４を概略的に示している。接触部材１１０２は、接触部材伸張位置にある。カートリッジを、カートリッジレシーバ開口部３０１を定める接触部材１１０２を通ってカートリッジ受け入れ方向３２２にカートリッジレシーバ３００へと挿入することができる。
【０１７５】
図６ｂは、カートリッジアセンブリ６００を受け入れた自動注射器４を概略的に示している。カートリッジアセンブリ６００は、カートリッジ７００と、カートリッジホルダ８００と、針アセンブリ９００とを備える。針アセンブリは、針９０２および針カバー９０８を備える。針カバーは、針カバー当接面９１０を有する。針カバー当接面９１０は、接触部材１１０２の針カバー係合部材１１１４に係合する。接触部材１１０２は、例えば針カバー９０８の存在および針カバー係合部材１１１４への針カバー当接面９１０の当接によって生じる第２の接触部材位置にある。接触部材突出部１１１２が、第２の接触部材センサ１１３２を覆う。接触部材突出部１１１２は、第１の接触部材センサ１１３０を覆っていない。
【０１７６】
図６ｃは、カートリッジアセンブリ６００を受け入れた自動注射器４を概略的に示している。図６ｂと比較して、針カバー９０８が取り外されている。接触部材１１０２は、接触部材伸張位置にある。針カバー当接面９１０が針カバー係合部材１１１４に当接していないので、接触部材１１０２は、接触部材伸張位置へと移動することができる。接触部材突出部１１１２も、接触部材１１０２と一緒に移動している。接触部材突出部１１１２は、第２の接触部材センサ１１３２を覆っていない。接触部材突出部１１１２は、第１の接触部材センサ１１３０を覆っていない。
【０１７７】
図６ｄは、カートリッジアセンブリ６００を受け入れた自動注射器４を概略的に示している。接触部材１１０２は、第１の接触部材位置にある。第１の接触部材位置は、接触部材後退位置、または接触部材後退位置の近傍であってよい。接触部材１１０２を注射部位に押し付けることによって接触部材１１０２を第１の接触部材位置へと移動させることにより、注射部位に針９０２を挿入することができる。接触部材突出部１１１２も、接触部材１１０２と一緒に移動している。接触部材突出部１１１２が、第１の接触部材センサ１１３０を覆う。接触部材突出部１１１２が、第２の接触部材センサ１１３２を覆う。
【０１７８】
図７が、典型的な自動注射器４のブロック図を示している。自動注射器４は、複数のセンサ２２，２４，２６，２８，３０，３２，３４と、処理ユニット２０と、駆動モジュール５００と、ユーザインタフェース１１００と、温度制御ユニット３６とを備える。センサ２２，２４，２６，２８，３０，３２，３４は、処理ユニット２０に接続される。ユーザインタフェース１１００は、処理ユニット２０に接続される。処理ユニットは、駆動モジュール５００に接続される。
【０１７９】
処理ユニット２０は、センサ２２，２４，２６，２８，３０，３２，３４およびユーザインタフェース１１００から信号を受信する。処理ユニット２０は、駆動モジュール５００を制御するように構成される。処理ユニット２０は、センサ２２，２４，２６，２８，３０，３２，３４およびユーザインタフェース１１００からの受信信号のうちの１つ以上に基づいて、駆動モジュール５００を制御することができる。処理ユニット２０は、ユーザインタフェース１１００を介してユーザ出力をもたらすように構成される。処理ユニット２０は、温度制御ユニット３６を制御するように構成される。処理ユニット２０は、センサ２２，２４，２６，２８，３０，３２，３４およびユーザインタフェース１１００からの受信信号のうちの１つ以上に基づいて、温度制御ユニット３６を制御することができる。
【０１８０】
自動注射器４は、向きセンサ２２を備える。向きセンサ２２は、自動注射器４に受け入れられたカートリッジの向きを表す向き信号をもたらすように構成される。例えば、向きセンサ２２を、自動注射器４の向きを検出するように構成することができる。カートリッジの向きを、自動注射器４の向きに基づいて決定することができる。向きセンサ２２を、重力の方向を検出するように構成することができる。例えば、向きセンサ２２は、加速度計を備えることができる。
【０１８１】
処理ユニット２０は、向きセンサ２２に接続される。処理ユニット２０は、向き信号を受信するように構成される。処理ユニット２０は、向き信号に基づいてカートリッジの向きを決定することができる。処理ユニット２０は、向き信号に基づいて駆動モジュール５００を制御することができる。例えば、処理ユニット２０を、向き信号に基づいてプランジャロッドを移動させるように駆動モジュール５００を制御するように構成することができる。例えば、処理ユニット２０を、カートリッジ出口が上方を向いている場合に限り、駆動モジュール５００を制御してプランジャロッドを混合前プランジャロッド位置および／または混合プランジャロッド位置および／またはプライムプランジャロッド位置などへとプランジャロッド伸張位置に向かって移動させるように構成することができる。これに代え、あるいはこれに加えて、処理ユニット２０は、向き信号に基づいて、ユーザインタフェース１１００を介してユーザ出力をもたらすことができる。
【０１８２】
自動注射器４は、コードセンサ２４を備える。コードセンサ２４は、カートリッジコード特徴部を読み取り、カートリッジコード特徴部を表すコード信号をもたらすように構成される。例えば、コードセンサを、色コードを読み取る／検出するように構成することができる。
【０１８３】
処理ユニット２０は、コードセンサ２４に接続される。処理ユニット２０は、コード信号を受信するように構成される。処理ユニット２０は、コード信号に基づいてカートリッジアセンブリのカートリッジコード特徴部を決定することができる。処理ユニット２０は、コード信号に基づいて駆動モジュール５００を制御することができる。例えば、処理ユニット２０を、コード信号に基づいて、駆動モジュール５００を制御してプランジャロッドを混合前プランジャロッド位置および／または混合プランジャロッド位置および／またはプライムプランジャロッド位置および／または注射プランジャロッド位置などへとプランジャロッド伸張位置に向かって移動させるように構成することができる。処理ユニット２０を、コード信号に基づいて、プランジャロッドしきい値および／または抵抗しきい値などのしきい値を決定するように構成することができる。これに代え、あるいはこれに加えて、処理ユニット２０は、コード信号に基づいて、ユーザインタフェース１１００を介してユーザ出力をもたらすことができる。
【０１８４】
自動注射器４は、プランジャロッド位置センサなどの排出センサ２６を備える。排出センサ２６は、自動注射器４のプランジャロッドの位置を検出し、プランジャロッドの位置を示す排出センサ信号をもたらすように構成される。排出センサ２６は、駆動モジュール５００に組み合わせられた回転計を備えることができる。
【０１８５】
処理ユニット２０は、排出センサ２６に接続される。処理ユニット２０は、排出センサ信号を受信するように構成される。処理ユニット２０は、排出センサ信号に基づいてプランジャロッドの位置を決定することができる。処理ユニット２０は、排出センサ信号に基づいて駆動モジュール５００を制御することができる。例えば、処理ユニット２０を、排出センサ信号に基づいてプランジャロッドの動きを開始させ、停止させ、あるいは継続するように、駆動モジュール５００を制御するように構成することができる。例えば、処理ユニット２０を、排出センサ信号に基づいて現在のプランジャロッド位置を決定するように構成することができる。排出センサ信号に基づいて、プランジャロッドが混合前プランジャロッド位置および／または混合プランジャロッド位置および／またはプライムプランジャロッド位置および／または注射プランジャロッド位置にあると決定することができる。これに代え、あるいはこれに加えて、処理ユニット２０は、排出センサ信号に基づいて、ユーザインタフェース１１００を介してユーザ出力をもたらすことができる。
【０１８６】
自動注射器４は、カートリッジセンサ２８を備える。カートリッジセンサ２８は、自動注射器４におけるカートリッジアセンブリの受け入れを検出するように構成される。カートリッジセンサ２８は、カートリッジアセンブリの受け入れを示すカートリッジセンサ信号をもたらす。
【０１８７】
処理ユニット２０は、カートリッジセンサ２８に接続される。処理ユニット２０は、カートリッジセンサ信号を受信するように構成される。処理ユニット２０は、カートリッジセンサ信号に基づいて駆動モジュール５００を制御することができる。例えば、処理ユニット２０を、カートリッジアセンブリが受け入れられた場合、および／またはカートリッジアセンブリが受け入れられた場合に限り、駆動モジュール５００を制御してプランジャロッドの動きを開始させるように構成することができる。これに代え、あるいはこれに加えて、処理ユニット２０は、カートリッジセンサ信号に基づいて、ユーザインタフェース１１００を介してユーザ出力をもたらすことができる。
【０１８８】
コードセンサ２４およびカートリッジセンサ２８は、同じセンサであってもよく、例えばコードセンサ２４を、カートリッジアセンブリの受け入れを検出し、次いでカートリッジコード特徴部を読み取るように構成することができる。
【０１８９】
自動注射器４は、針センサ３０を備える。針センサ３０は、カートリッジアセンブリが自動注射器４に受け入れられたときに、カートリッジアセンブリの針および／または針アセンブリおよび／または針アセンブリの針カバーを検出するように構成される。針センサ３０は、カートリッジアセンブリの針および／または針アセンブリおよび／または針アセンブリの針カバーの存在を示す針信号をもたらす。
【０１９０】
処理ユニット２０は、針センサ３０に接続される。処理ユニット２０は、針信号を受信するように構成される。処理ユニット２０は、針信号に基づいて駆動モジュール５００を制御することができる。例えば、処理ユニット２０を、針が存在する場合に限り、さらには／あるいは針カバーが例えば取り除かれて存在しない場合に限り、駆動モジュール５００を制御して混合前プランジャロッド位置および／または混合プランジャロッド位置および／またはプライムプランジャロッド位置および／または注射プランジャロッド位置などへと、例えばプランジャロッド伸張位置へと向かうプランジャロッドの移動を開始させるように構成することができる。針カバーの検出は、針の存在を示すことができる。処理ユニット２０を、針カバーが検出され、その後に例えば取り除かれて検出されない場合に限り、駆動モジュール５００を制御して動作を開始させるように構成することができる。これに代え、あるいはこれに加えて、処理ユニット２０は、針信号に基づいて、ユーザインタフェース１１００を介してユーザ出力をもたらすことができる。
【０１９１】
針センサ３０は、図６に例示されるように、接触部材センサの一部であってもよい。
【０１９２】
自動注射器４は、温度センサ３２を備える。温度センサ３２は、自動注射器および／またはカートリッジおよび／または薬剤の温度などの温度を検出するように構成される。温度センサ３２は、温度を表す温度信号をもたらすように構成される。
【０１９３】
処理ユニット２０は、温度センサ３２に接続される。処理ユニット２０は、温度信号を受信するように構成される。処理ユニット２０を、温度信号に基づいて自動注射器および／またはカートリッジおよび／または薬剤の温度などの温度を決定するように構成することができる。処理ユニット２０は、温度信号に基づいて駆動モジュール５００を制御することができる。例えば、処理ユニット２０を、温度信号に基づいて、駆動モジュール５００を制御してプランジャロッドを混合前プランジャロッド位置および／または混合プランジャロッド位置および／またはプライムプランジャロッド位置および／または注射プランジャロッド位置などへとプランジャロッド伸張位置に向かって移動させるように構成することができる。処理ユニット２０は、温度信号に基づいてプランジャロッドの位置を決定することができる。例えば、処理ユニット２０を、温度信号に基づいて混合前プランジャロッド位置および／または混合プランジャロッド位置および／またはプライムプランジャロッド位置および／または注射プランジャロッド位置を決定するように構成することができる。これに代え、あるいはこれに加えて、処理ユニット２０は、温度信号に基づいて、ユーザインタフェース１１００を介してユーザ出力をもたらすことができる。
【０１９４】
自動注射器４は、抵抗センサ３４を備える。抵抗センサ３４は、自動注射器４のプランジャロッドの移動に対する抵抗を検出するように構成される。抵抗センサ３４を、駆動モジュール５００の測定値に基づいてプランジャロッドの移動に対する抵抗を検出するように構成することができる。例えば、抵抗センサ３４を、駆動モジュール５００のモータの電流を検出するように構成することができる。抵抗センサ３４は、プランジャロッドの移動に対する抵抗を表す抵抗信号をもたらすように構成される。
【０１９５】
処理ユニット２０は、抵抗センサ３４に接続される。処理ユニット２０は、抵抗信号を受信するように構成される。処理ユニット２０を、抵抗信号に基づいてプランジャロッドの移動に対する抵抗を決定するように構成することができる。処理ユニット２０は、抵抗信号に基づいて駆動モジュール５００を制御することができる。例えば、処理ユニット２０を、抵抗信号に基づいてプランジャロッドの移動を調整するように、駆動モジュール５００を制御するように構成することができる。例えば、処理ユニット２０を、抵抗信号に基づいてプランジャロッドの移動を開始させ、停止させ、あるいは継続するように、駆動モジュール５００を制御するように構成することができる。これに代え、あるいはこれに加えて、処理ユニット２０は、抵抗信号に基づいて、ユーザインタフェース１１００を介してユーザ出力をもたらすことができる。
【０１９６】
自動注射器４は、温度制御ユニット３６を備える。温度制御ユニット３６は、例えば温度信号など、自動注射器および／またはカートリッジおよび／または薬剤の温度に基づいて、自動注射器および／またはカートリッジおよび／または薬剤の温度などの温度を変更するように構成される。例えば、温度制御ユニット３６は、カートリッジレシーバに受け入れられたカートリッジの温度を変更するように構成される。
【０１９７】
処理ユニット２０は、温度制御ユニット３６に接続される。処理ユニット２０は、温度制御ユニット３６を制御するように構成される。処理ユニット２０を、例えば温度信号に基づいて自動注射器および／またはカートリッジおよび／または薬剤の温度などの温度を変更するように構成することができる。例えば、処理ユニット２０を、温度信号に基づいて自動注射器および／またはカートリッジおよび／または薬剤の温度を上げるように、温度制御ユニット３６を制御するように構成することができる。
【０１９８】
温度制御ユニット３６は、加熱素子３８を備えることができる。加熱素子３８を、自動注射器および／またはカートリッジおよび／または薬剤の温度を上昇させるように構成することができる。加熱素子３８は、抵抗加熱素子であってよい。加熱素子３８は、誘電加熱素子であってよい。
【０１９９】
温度制御ユニット３６は、冷却素子４０を備えることができる。冷却素子４０を、自動注射器および／またはカートリッジおよび／または薬剤の温度を低下させるように構成することができる。
【０２００】
温度制御ユニット３６は、接触要素４２を備えることができる。接触要素４２を、カートリッジレシーバに受け入れられたカートリッジに接触するように構成することができる。接触要素４２は、温度制御ユニット３６と自動注射器および／またはカートリッジおよび／または薬剤との間の熱伝達の向上をもたらすことができる。
【０２０１】
温度制御ユニット３６は、コイル要素４４を備えることができる。コイル要素４４は、カートリッジレシーバに受け入れられたカートリッジの全周を囲むように構成することができる。コイル要素４４は、温度制御ユニット３６と自動注射器および／またはカートリッジおよび／または薬剤との間の熱伝達の向上をもたらすことができる。
【０２０２】
上述の要素のすべてを含む自動注射器４が、例示されている。しかしながら、代わりに、自動注射器は、上述した要素のうちのただ１つ、または上述した要素のうちの１つ以上からなる任意の組み合わせを備えることができる。
【０２０３】
自動注射器は、ユーザインタフェース１１００を備える。ユーザインタフェース１１００は、例えば第１の入力部材など、ユーザ入力を受け取るための１つ以上の入力部材を備えることができる。ユーザインタフェースは、受け取ったユーザ入力を表すユーザ入力信号をもたらすように構成される。ユーザインタフェース１１００は、第１の入力信号および／または第２の入力信号をもたらすことができる。
【０２０４】
処理ユニット２０は、ユーザインタフェース１１００に接続される。処理ユニット２０は、第１の入力信号および／または第２の入力信号などのユーザ入力信号を受信するように構成される。処理ユニット２０は、ユーザ入力信号に基づいて駆動モジュール５００を制御することができる。例えば、処理ユニット２０を、ユーザ入力信号に基づき、さらには／あるいはユーザ入力信号に従って、駆動モジュール５００を制御してプランジャロッドを混合前プランジャロッド位置および／または混合プランジャロッド位置および／またはプライムプランジャロッド位置および／または注射プランジャロッド位置などへとプランジャロッド伸張位置に向かって移動させるように構成することができる。
【０２０５】
自動注射器は、センサ２２，２４，２６，２８，３０，３２，３４、処理ユニット２０、ユーザインタフェース１１００、駆動モジュール５００、および温度制御ユニット３６を収容するハウジング６を備える。
【０２０６】
図８ａ〜図８ｆは、典型的なカートリッジアセンブリ６００およびプランジャロッド４００を概略的に示している。カートリッジアセンブリ６００は、図３に関連して説明したカートリッジなどのカートリッジ７００と、カートリッジホルダ８００と、針アセンブリ９００とを備える。分かり易くするために、プランジャロッド４００を備える自動注射器は、図示されていない。
【０２０７】
カートリッジホルダ８００は、カートリッジ保持部材８０８を備える。カートリッジ保持部材８０８は、自動注射器のカートリッジレシーバに係合するように構成される。カートリッジホルダ８００は、針アセンブリ結合部８１２を備える。針アセンブリ結合部８１２は、針アセンブリ９００のカートリッジホルダ結合部９０６と係合するように構成される。針アセンブリ結合部８１２は、カートリッジ７００への針の取り付けを可能にする。
【０２０８】
針アセンブリ９００は、針９０２および針ハブ９０４を備える。針アセンブリ９００は、例えばカートリッジホルダ８００の針アセンブリ結合部８１２に係合する例えば螺合部などのカートリッジホルダ結合部９０６を有している針ハブ９０４によって、カートリッジ７００に取り付けられる。針９０２は、カートリッジ７００のカートリッジ出口７１４を通って延びる。
【０２０９】
図８ａは、プランジャロッド４００が典型的なプランジャロッド後退位置にある状況を、概略的に示している。カートリッジ７００は、新品のカートリッジであってよい。第１のストッパ７０８が、初期位置に位置している。第２のストッパ７１０は、例えばバイパス部７１２の後方の初期位置にあり、ここでバイパス部７１２は、第１の小室７０４と第２の小室７０６との間の連通を形成していない。
【０２１０】
図８ｂは、プランジャロッド４００が典型的な混合前プランジャロッド位置にある状況を概略的に示している。図８ａと比較して、プランジャロッド４００は、プランジャロッド伸張位置に向かって移動する。プランジャロッド４００のプランジャロッド前端部４１０が、第１のストッパ７０８に当接する。したがって、プランジャロッド４００は、第１のプランジャロッド方向４２２の移動によって、第１のストッパ７０８を第１のストッパ方向７２２に移動させ始めている。第２のストッパ７１０は、例えばバイパス部７１２の後方の位置にあり、ここでバイパス部７１２は、第１の小室７０４と第２の小室７０６との間の連通を形成していない。
【０２１１】
図８ｃは、プランジャロッド４００がバイパス部７１２を介して第１の小室７０４と第２の小室７０６との間の連通が確立される典型的な位置にある状況を概略的に示している。プランジャロッド４００のプランジャロッド前端部４１０は、第１のストッパ７０８に当接する。プランジャロッド４００は、第１のプランジャロッド方向４２２の移動によって、第１のストッパ７０８を第１のストッパ方向７２２に移動させている。第２のストッパ７１０は、バイパス部７１２に位置し、ここでバイパス部７１２は、第１の小室７０４と第２の小室７０６との間の連通を形成している。このようにして、例えばプランジャロッド４００の第１のプランジャロッド方向４２２の移動による第１のストッパ７０８の第１のストッパ方向７２２のさらなる移動により、例えば第１の薬剤成分（図示せず）などの第１の小室７０４の内容物が、例えばバイパス部７１２を通って第２の小室７０６へと運ばれる。
【０２１２】
図８ｄは、プランジャロッド４００が典型的な混合プランジャロッド位置にある状況を概略的に示している。プランジャロッド前端部４１０は、第１のストッパ７０８に当接している。第１のストッパ７０８は、第２のストッパ７１０に当接している。第１の小室７０４は、圧縮されている。第２のストッパ７１０は、バイパス部７１２の向こうの位置にある。したがって、第１の小室７０４と第２の小室７０６との間の連通は、閉じられている。
【０２１３】
図８ｅは、プランジャロッド４００が典型的なプライムプランジャロッド位置にある状況を概略的に示している。図８ｄと比較して、プランジャロッド４００は、例えばカートリッジ室７０２から空気を吐出させるために、プランジャロッド伸張位置に向かって移動している。
【０２１４】
図８ｆは、プランジャロッド４００が典型的な注射プランジャロッド位置にある状況を概略的に示している。例えば、完全な注射の後で、プランジャロッド４００は、注射プランジャロッド位置に位置することができる。第１のストッパ７０８および第２のストッパ７１０は、カートリッジ出口７１４に近い位置にある。例えば薬剤など、カートリッジ構成要素の内容物は、例えばカートリッジ出口７１４および／または針９０２を通って吐出済みである。残余の薬剤が、カートリッジに残っていてもよい。
【０２１５】
図９が、プランジャロッドの位置Ｐに依存するプランジャロッドの移動に対する抵抗Ｒｅの典型的な推移Ｔを示している。プランジャロッドは、プランジャロッド後退位置ＰＲからプランジャロッド伸張位置ＰＥへと移動する。移動の始めにおいて、プランジャロッドの移動に対する抵抗は、一定であり（Ｅｘ１）、例えばプランジャロッドはストッパをまだ押していない。その後に、プランジャロッドのプランジャロッド先端部が、カートリッジの第１のストッパに当接し、プランジャロッドの移動に対する抵抗が増大する（Ｅｘ２）。抵抗の増大は、例えば摩擦力に起因する第１のストッパの移動に対する抵抗によって引き起こされる。図示のように、抵抗は、第１のストッパが動き始めた後にわずかに低下するかもしれない。プランジャロッドがプランジャロッド伸張位置ＰＥに近づくとき、抵抗は、例えば第１のストッパがカートリッジの端部に近づくことに起因して、再び増大するかもしれない（Ｅｘ３）。
【０２１６】
推移Ｔは、受け入れたカートリッジが新品および／または未使用および／または通常のカートリッジであるときのプランジャロッドの移動に対する抵抗の一例である。カートリッジパラメータの決定は、抵抗および／またはプランジャロッドの位置に基づくことができる。カートリッジパラメータの決定は、低抵抗しきい値Ｒｅ１および／または高抵抗しきい値Ｒｅ２などの抵抗しきい値、ならびに／あるいは第１のプランジャロッドしきい値Ｐ１および／または第２のプランジャロッドしきい値Ｐ２などのプランジャロッドしきい値など、１つ以上のしきい値に基づくことができる。
【０２１７】
受け入れたカートリッジが明らかに使用済みであり、さらには／あるいは欠陥品である状況など、他の状況が、さらなる典型的な推移Ｔ２、Ｔ３、Ｔ４によって例示される。
【０２１８】
推移Ｔ２は、プランジャロッド位置が第１のプランジャロッドしきい値Ｐ１に達する前に、移動に対する抵抗が低抵抗しきい値Ｒｅ１を超えて増加する典型的な状況を示している。このような状況は、例えば、カートリッジに欠陥があることや、何かがプランジャロッドの移動を妨害していることを示している可能性がある。このような状況を受けて、プランジャロッドをプランジャロッド後退位置に戻すことができ、エラーメッセージをユーザインタフェースを介してもたらすことができる。
【０２１９】
推移Ｔ３は、プランジャロッド位置が第２のプランジャロッドしきい値Ｐ２に達する前に、移動に対する抵抗が低抵抗しきい値Ｒｅ１を超えて増加しない典型的な状況を示している。このような状況は、例えば使用済みのカートリッジなど、例えば第１のストッパが前進位置にあるカートリッジを示すことができる。このような状況を受けて、プランジャロッドをプランジャロッド後退位置に戻すことができ、エラーメッセージをユーザインタフェースを介してもたらすことができる。
【０２２０】
推移Ｔ４は、例えばプランジャロッド位置が第１のプランジャロッドしきい値Ｐ１を通過した後に、移動に対する抵抗が高抵抗しきい値Ｒｅ２を超えて増加する典型的な状況を示している。このような状況は、例えば第１のストッパの移動が妨げられていることを示している可能性があり、例えばカートリッジが欠陥品である可能性がある。このような状況を受けて、プランジャロッドをプランジャロッド後退位置に戻すことができ、エラーメッセージをユーザインタフェースを介してもたらすことができる。
【０２２１】
低抵抗しきい値Ｒｅ１、高抵抗しきい値Ｒｅ２、第１のプランジャロッドしきい値Ｐ１、および／または第２のプランジャロッドしきい値Ｐ２などのしきい値を、受け入れたカートリッジについて個別に決定することができる。例えば、自動注射器の処理ユニットを、受け入れたカートリッジおよび／またはカートリッジアセンブリのカートリッジコード特徴部に基づいて、しきい値のうちの１つ以上を決定するように構成することができる。
【０２２２】
図１０が、自動注射器を動作させるための典型的な方法６０００のフロー図を示している。方法６０００は、薬剤の温度を表す温度センサからの温度信号を受信するステップ６００２と、プランジャロッドを第１のプランジャロッド位置から混合プランジャロッド位置まで混合プランジャロッド速度で移動させるステップ６００４と、混合プランジャロッド位置へのプランジャロッドの移動が完了してから再構成時間が経過した後に、プランジャロッドを混合プランジャロッド位置から第２のプランジャロッド位置へと移動させるステップ６００６とを含む。方法６０００は、トリガイベントを受信するステップ６００８と、プランジャロッドを注射プランジャロッド位置へと移動させるステップ６０１０とをさらに含むことができる。
【０２２３】
自動注射器は、第１のストッパと、薬剤を収容するカートリッジ室とを備えるカートリッジを受け入れるように構成されたカートリッジレシーバを備えることができる。カートリッジ室は、薬剤の第１の薬剤成分を収容する第１のカートリッジ小室と、薬剤の第２の薬剤成分を収容する第２のカートリッジ小室とを有することができる。自動注射器は、第１のストッパを移動させるように構成されたプランジャロッドと、温度センサとをさらに備えることができる。
【０２２４】
混合プランジャロッド位置を、第１の薬剤成分が第２の薬剤成分と混合される位置に第１のストッパを位置させるように選択することができる。
【０２２５】
第１のプランジャロッド位置から混合プランジャロッド位置への移動６００４は、温度信号に基づくことができる。
【０２２６】
第２のプランジャロッド位置は、プライムプランジャロッド位置であってよい。プライムプランジャロッド位置を、カートリッジ室内の空気が注射に適した量へと減らされる位置に第１のストッパを位置させるように選択することができる。
【０２２７】
混合プランジャロッド位置へのプランジャロッドの移動６００４を、カートリッジレシーバに収容されているカートリッジの検出および／または第１の入力信号の受信の後に行うことができる。例えば、混合プランジャロッド位置へのプランジャロッドの移動６００４を、カートリッジが検出され、第１の入力信号が受信された後に限り、実行することができる。
【０２２８】
これに代え、あるいはこれに加えて、混合プランジャロッド位置へのプランジャロッドの移動６００４に先立ち、（図１２に関連してさらに詳細に説明されるように）カートリッジの向きを判定することができる。例えば、混合プランジャロッド位置へのプランジャロッドの移動６００４は、カートリッジの出口が上方を向いていること（例えば、カートリッジの向きを決定することによって判定される）を必要とすることができる。混合プランジャロッド位置へのプランジャロッドの移動６００４を、カートリッジの向きが所定の向きの範囲内にない場合に、一時的に停止させることができる。
【０２２９】
第２のプランジャロッド位置へのプランジャロッドの移動６００６は、カートリッジの出口が上方を向いていること（例えば、カートリッジの向きを決定することによって判定される）を必要とすることができる。第２のプランジャロッド位置へのプランジャロッドの移動６００６を、カートリッジの向きが所定の向きの範囲内にない場合に、一時的に停止させることができる。
【０２３０】
混合プランジャロッド位置から第２のプランジャロッド位置へのプランジャロッドの移動６００６は、プランジャロッドの混合プランジャロッド位置への移動が完了してから再構成時間が経過することを必要とすることができる。再構成時間は、温度に基づくことができる。温度信号の受信６００２を、追加または代案として、例えば再構成時間を決定するために、プランジャロッドの混合プランジャロッド位置への移動６００４の後に実行することも可能である。
【０２３１】
トリガイベントの受信６００８は、例えばユーザがボタンを押すことによるトリガ部材からのトリガイベントの受信など、ユーザインタフェースからのユーザ入力信号の受信を含むことができる。トリガイベントは、ユーザによる注射の開始の指示によることができる。トリガイベントは、ユーザが意図される注射部位に自動注射器の前部を押し付けることによることができる。トリガイベントは、接触部材信号が自動注射器の接触部材が第１の接触部材位置にある旨を知らせることを含むことができる。
【０２３２】
注射プランジャロッド位置へのプランジャロッドの移動６０１０は、針を通過するなど、カートリッジ出口を通過する薬剤の排出をもたらすことができる。プランジャロッドの移動６０１０を、例えば第２のプランジャロッド位置へのプランジャロッドの移動６００６の完了後に、トリガイベント６００８の受信に続いて行うことができる。
【０２３３】
図１１が、典型的な方法６０００’のフロー図を示している。方法６０００’は、前の図に関連して説明した方法６０００と同じステップを含む。しかしながら、方法６０００’は、温度を変更する追加のステップ６０１２を含む方法の一例である。
【０２３４】
方法６０００’は、自動注射器および／またはカートリッジおよび／または薬剤の温度を変更するステップ６０１２を含む。温度を、薬剤の温度を表す温度信号の受信６００２の後に変更することができる。温度を、温度信号の受信６００２を行いつつ変更することができる。例えば、温度が低すぎることを示す温度信号を受信６００２し、温度を変更６０１２することによって温度を上げることができ、その後に、温度信号を再び受信６００２することができる。このループを、温度が所定の範囲内となるまで続けることができる。受信６００２した温度信号が、温度信号が所定の範囲内にあることを示しているとき、方法６０００’は、プランジャロッドを混合プランジャロッド位置へと移動させる次のステップ６００４に進むことができる。方法６０００’は、例えば方法６０００’の後続のステップを最適化するために、例えば混合プランジャロッド位置へのプランジャロッドの移動６００４の最中など、本方法の他のステップと同時に温度を変更するステップ６０１２を含むことができる。
【０２３５】
図１２が、典型的な方法６０００’’のフロー図を示している。方法６０００’’は、前の図に関連して説明した方法６０００’と同じステップを含む。しかしながら、方法６０００’’は、第１の入力信号を受信するステップ６０１４、例えば自動注射器のカートリッジレシーバへのカートリッジの受け入れを検出するステップ６０１６、カートリッジの向きを決定するステップ６０１８、カートリッジコード特徴部を読み取るステップ６０２０、針カバーの取り外しを検出するステップ６０２２、プランジャロッドを混合前プランジャロッド位置などの第１のプランジャロッド位置へと移動させるステップ６０２４、プランジャロッドの移動に対する抵抗を検出するステップ６０２６、および再構成時間を決定するステップ６０１９という追加のステップを含む方法の一例である。
【０２３６】
第１の入力信号を受信するステップ６０１４は、例えばユーザがボタンを押すことによるユーザインタフェースからのユーザ入力信号の受信を含むことができる。第１の入力信号は、ユーザが自動注射器をオンにすることによってもたらされてもよい。
【０２３７】
カートリッジの受け入れを検出するステップ６０１６は、ユーザがカートリッジレシーバ開口部を通ってカートリッジレシーバへとカートリッジを挿入することを検出することを含むことができる。カートリッジの受け入れを検出するステップ６０１６は、カートリッジレシーバにおけるカートリッジの存在を検出することを含むことができる。
【０２３８】
第１の入力信号を受信するステップ６０１４と、カートリッジの受け入れを検出するステップ６０１６とを、入れ換えることも可能である。
【０２３９】
カートリッジの向きを決定するステップ６０１８は、加速度計などの向きセンサによって向きを決定することを含むことができる。カートリッジの向きを決定するステップ６０１８は、自動注射器の向きを決定することを含むことができる。カートリッジの向きを決定するステップ６０１８は、カートリッジの出口が上方を向いているかどうかを判定することを含むことができる。
【０２４０】
方法６０００’’は、カートリッジコード特徴部を読み取るステップ６０２０を含む。カートリッジコード特徴部は、１つ以上のカートリッジ仕様を示すことができる。方法６０００’’の後続のステップは、カートリッジ仕様に基づく適合を含むことができる。例えば、方法６０００’’の後続のステップを、受け入れられて識別された特定のカートリッジに合わせて調整することができる。
【０２４１】
カートリッジコード特徴部を読み取るステップ６０２０を、温度信号を受信するステップ６００２と同時に実行してもよい。しかしながら、代案においては、順次の実行も可能である。例えば、カートリッジコード特徴部を読み取るステップ６０２０を、温度信号を受信するステップ６００２の前に実行することができ、あるいはカートリッジコード特徴部を読み取るステップ６０２０を、温度信号を受信するステップ６００２の後で実行してもよい。
【０２４２】
針カバーの取り外しを検出するステップ６０２２は、プランジャロッドの移動の開始の前提条件であってよい。例えば、針カバーの取り外しは、受け入れたカートリッジの使用の意図を表すことができる。
【０２４３】
プランジャロッドを第１のプランジャロッド位置へと移動させるステップ６０２４は、例えば２成分の薬剤の混合を開始させることがない第１のストッパの移動など、カートリッジの第１のストッパの初期移動を含むことができる。
【０２４４】
第１のプランジャロッド位置へのプランジャロッドの移動６０２４を、カートリッジレシーバに収容されているカートリッジの検出６０１６および第１の入力信号の受信６０１４の後に行うことができる。例えば、第１のプランジャロッド位置へのプランジャロッドの移動６０２４を、カートリッジが検出６０１６され、第１の入力信号が受信６０１４された後に限り、実行することができる。
【０２４５】
プランジャロッドを第１のプランジャロッド位置へと移動させるステップ６０２４は、温度信号を受信するステップ６００２、随意により温度を変更するステップ６０１２、およびカートリッジコード特徴部を読み取るステップ６０２０と同時に実行することが可能である。
【０２４６】
プランジャロッドの移動に対する抵抗を検出するステップ６０２６は、図示されているように、プランジャロッドを第１のプランジャロッド位置へと移動させるステップ６０２４と同時に実行することができる。プランジャロッドの移動に対する抵抗を検出するステップ６０２６は、カートリッジが新品であるか、使用済みでないか、あるいは欠陥品でないかなど、受け入れたカートリッジのカートリッジパラメータを示すことができる。
【０２４７】
プランジャロッドを混合プランジャロッド位置へと移動させるステップ６００４を、カートリッジコード特徴部を読み取るステップ６０２０、温度信号を受信するステップ６００２、針カバーの取り外しを検出するステップ６０２２、プランジャロッドを混合前プランジャロッド位置へと移動させるステップ６０２４、プランジャロッドの移動に対する抵抗を検出するステップ６０２６、およびカートリッジの向きを決定するステップ６０１８に続いて行うことができる。
【０２４８】
プランジャロッドを混合プランジャロッド位置へと移動させるステップ６００４は、カートリッジコード特徴部、温度、針カバーの取り外し、プランジャロッドの移動に対する抵抗、および／またはカートリッジの向きのうちの１つ以上に基づくことができる。
【０２４９】
第２のプランジャロッド位置へのプランジャロッドの移動６００６は、プランジャロッドの混合プランジャロッド位置への移動が完了してから再構成時間が経過することを必要とすることができる。方法６０００’’は、再構成時間を決定するステップ６０１９を含む。再構成時間を決定するステップ６０１９は、カートリッジコード特徴部、温度、針カバーの取り外し、プランジャロッドの移動に対する抵抗、および／またはカートリッジの向きのうちの１つ以上に基づくことができる。再構成時間を決定するステップ６０１９は、自動注射器の震とうおよび／または自動注射器の反転の回数などの自動注射器の運動量などの第１の運動パラメータの決定を含むことができる。第１の運動パラメータを、加速度計などの向きセンサなどからの向き信号に基づいて決定することができる。再構成時間を決定するステップ６０１９は、向き信号を受信することを含むことができる。
【０２５０】
再構成時間を決定するステップ６０１９を、第１の運動パラメータ、温度、および／またはカートリッジコード特徴部の組み合わせに基づいて決定することができる。温度信号の受信６００２を、追加または代案として、例えば再構成時間を決定するために、再構成時間を決定するステップ６０１９の最中に実行することも可能である。
【０２５１】
プランジャロッドを第２のプランジャロッド位置へと移動させるステップ６００６は、カートリッジコード特徴部、温度、針カバーの取り外し、プランジャロッドの移動に対する抵抗、および／またはカートリッジの向きのうちの１つ以上に基づくことができる。
【０２５２】
プランジャロッドを注射プランジャロッド位置へと移動させるステップ６０１０は、カートリッジコード特徴部、温度、針カバーの取り外し、および／またはプランジャロッドの移動に対する抵抗のうちの１つ以上に基づくことができる。
【０２５３】
方法６０００および／または方法６０００’および／または方法６０００’’は、カートリッジを受け入れる第１のステップを含むことができる。
【０２５４】
図１３ａ〜図１３ｄは、図１に示した自動注射器４などの典型的な自動注射器４の典型的なユーザインタフェース１１００を概略的に示している。
【０２５５】
ユーザインタフェース１１００は、例えば複数のＬＥＤなどの図示のとおりの第１の出力部材１１１０を備える。第１の出力部材１１１０は、ユーザへのユーザ出力をもたらすことができる。第１の出力部材１１１０を、手順におけるステップをユーザに知らせ、さらには／あるいはエラーメッセージを示すために使用することができる。第１の出力部材１１１０は、第１のＬＥＤ１１１６と、第２のＬＥＤ１１１８と、第３のＬＥＤ１１２０とを備える。
【０２５６】
ユーザインタフェース１１００は、例えばスピーカなどの第２の出力部材（図示せず）を備えることができる。
【０２５７】
ユーザインタフェース１１００は、例えば自動注射器４の前端部の接触部材１１０２を備える。接触部材１１０２を、注射部位に対して押し付けられるように構成することができる。接触部材１１０２は、ユーザインタフェース１１００の第３の出力部材として機能することができ、例えば接触部材１１０２を、点滅などの光を発するように構成することができる。
【０２５８】
ユーザインタフェース１１００は、例えばボタンなどの第１の入力部材１１０８を備える。第１の入力部材１１０８は、ユーザからのユーザ入力をもたらすことができる。例えば、第１の入力部材１１０８を、次のステップに進むためのユーザからの押し操作を受け付けるために使用することができる。第１の入力部材１１０８は、ユーザインタフェース１１００の第４の出力部材として機能することができ、例えば第１の入力部材１１０８を、点滅などの光を発するように構成することができる。
【０２５９】
図１３ａは、例えば自動注射器４がオフであるなど、出力部材のいずれも作動していないユーザインタフェース１１００の状況を概略的に示している。
【０２６０】
図１３ｂは、第１の入力部材１１０８および接触部材１１０２が点滅などの光を発しているユーザインタフェース１１００の状況を概略的に示している。第１の入力部材１１０８および接触部材１１０２は、同期して点滅することができ、さらには／あるいは同期せずに点滅することができる。図示の状況は、ユーザが第１の入力部材１１０８を押すべきであり、さらには／あるいは接触部材１１０２を通ってカートリッジを挿入すべきであることを、知らせる状況であってよい。図示の状況は、自動注射器がオンにされた後の状況であってよい。
【０２６１】
図１３ｃは、第１の入力部材１１０８および第２のＬＥＤ１１１８が点滅などの光を発しているユーザインタフェース１１００の状況を概略的に示している。図示の状況は、ユーザが第１の入力部材１１０８を押すことによって次のステップに進むべきであることを、知らせる状況であってよい。図示の状況は、薬剤成分の混合後および／または空気の排出を行う前の状況であってよい。
【０２６２】
図１３ｄは、第１の入力部材１１０８および接触部材１１０２ならびに第３のＬＥＤ１１２０が点滅などの光を発しているユーザインタフェース１１００の状況を概略的に示している。第１の入力部材１１０８および接触部材１１０２ならびに第３のＬＥＤ１１２０は、同期して点滅することができ、さらには／あるいは同期せずに点滅することができる。図示の状況は、ユーザが接触部材１１０２を意図される注射部位へと押し付けて薬剤を注射すべきであることを、知らせる状況であってよい。図示の状況は、薬剤を注射する前の状況であってよい。
【０２６３】
図１４ａ〜図１４ｃが、第１の運動パラメータの運動など、典型的な自動注射器４の典型的な運動を概略的に示している。
【０２６４】
図１４ａは、自動注射器４の第１の端部４ａが実質的に上方を向いている第１の位置にある自動注射器４を示している。自動注射器４の第２の端部４ｂは、実質的に下方を向いている。
【０２６５】
図１４ｂは、自動注射器４の第１の端部４ａが実質的に下方を向いている第２の位置へと動かされた自動注射器４を示している。自動注射器４の第２の端部４ｂは、実質的に上方を向いている。
【０２６６】
図１４ｃは、第１の位置へと戻されるなど、自動注射器４の第１の端部４ａが実質的に上方を向いている第３の位置へと動かされた自動注射器４を示している。自動注射器４の第２の端部４ｂは、実質的に下方を向いている。
【０２６７】
第１の運動パラメータは、自動注射器４が第１の位置から第２の位置へと動かされ、随意により第１の位置へと戻されるなどの第３の位置へと動かされた回数など、自動注射器４の反転の回数を表すことができる。処理ユニット（図１４には図示せず）を、反転の回数を検出および／またはカウントするように構成することができる。
【０２６８】
図示の例では、第１および第３の位置において自動注射器４の第１の端部４ａが真っ直ぐ上を指しているが、自動注射器４の第１の端部４ａは、例えば上方４５°の範囲を指していれば充分である。
【０２６９】
同様に、図示の例では、第２の位置において自動注射器４の第１の端部４ａが真っ直ぐ下を指しているが、自動注射器４の第１の端部４ａは、例えば下方４５°の範囲を指していれば充分である。
【０２７０】
再構成時間は、図１４に関連して説明した反転に依存し得る。例えば、再構成は、０．３〜１．２Ｈｚの間などの予め定められた周波数範囲の周波数で、５回などの特定の回数の反転を実行することを必要とし得る。例えば、再構成時間は、この回数の反転の実行に使用される時間であってよい。必要な反転の回数および／または周波数範囲を、温度に基づいて決定することができ、例えば、より高い温度においては反転の回数が少なくてよく、より低い温度においては、より多数回の反転が必要とされてよい。これに代え、あるいはこれに加えて、必要な反転の回数および／または周波数範囲を、カートリッジコード特徴部に基づいて決定することができ、例えばカートリッジコード特徴部が、反転の回数および／または反転の周波数範囲を示すことができる。
【０２７１】
特定の特徴を図示および説明したが、それらが特許請求の範囲に記載される発明を限定しようとするものではないことは明らかであり、特許請求の範囲に記載される発明の技術的思想および技術的範囲から外れることなく種々の変更および修正が可能であることは、当業者にとって自明であろう。したがって、本明細書および図面は、限定の意味ではなく、例示の意味で考慮されなければならない。特許請求の範囲に記載される発明は、すべての代替物、改変物、および等価物を包含するように意図される。
【図１】
2019506988.tif 000003
【図２】
2019506988.tif 000004
【図３】
2019506988.tif 000005
【図４ａ）】
2019506988.tif 000006
【図４ｂ）】
2019506988.tif 000007
【図４ｃ）】
2019506988.tif 000008
【図４ｄ）】
2019506988.tif 000009
【図５】
2019506988.tif 000010
【図６ａ）】
2019506988.tif 000011
【図６ｂ）】
2019506988.tif 000012
【図６ｃ）】
2019506988.tif 000013
【図６ｄ）】
2019506988.tif 000014
【図７】
2019506988.tif 000015
【図８ａ）】
2019506988.tif 000016
【図８ｂ）】
2019506988.tif 000017
【図８ｃ）】
2019506988.tif 000018
【図８ｄ）】
2019506988.tif 000019
【図８ｅ）】
2019506988.tif 000020
【図８ｆ）】
2019506988.tif 000021
【図９】
2019506988.tif 000022
【図１０】
2019506988.tif 000023
【図１１】
2019506988.tif 000024
【図１２】
2019506988.tif 000025
【図１３ａ）】
2019506988.tif 000026
【図１３ｂ）】
2019506988.tif 000027
【図１３ｃ）】
2019506988.tif 000028
【図１３ｄ）】
2019506988.tif 000029
【図１４ａ）】
2019506988.tif 000030
【図１４ｂ）】
2019506988.tif 000031
【図１４ｃ）】
2019506988.tif 000032
【国際調査報告】
2019506988.tif 000033
2019506988.tif 000034
2019506988.tif 000035